(57)【特許請求の範囲】
【請求項１】
スモール基地局が位置するカバレージエリアを有するセルに対応する第１の基地局を動作させる方法であって、
複数のスモール基地局またはユーザ機器（ＵＥ）デバイスのうちのいずれかによるパイロット信号送信用の通信リソースの同じセットを割り振ることと、前記割り振られた通信リソースのセットはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースのセットを使用するべきかを決定することと、前記決定することは、前記第１の基地局のカバレージエリア内の前記スモール基地局の密度およびアクティブＵＥデバイスの密度に基づく、
パイロット信号送信用に割り振られた前記通信リソースのセットを示す情報を、前記スモール基地局または前記ＵＥデバイスのうちの少なくとも１つに通信することと
を備える、方法。
【請求項２】
信号を送信するために前記割り振られた通信リソースのセットを使用することを控えるように、前記第１の基地局を制御すること
をさらに備える、請求項１に記載の方法。
【請求項３】
前記第１の基地局に対応する前記カバレージエリア内のスモール基地局の数における変化またはＵＥデバイスの数における変化に応答して、前記スモール基地局またはＵＥデバイスによるパイロット信号送信用に割り振られた前記通信リソースのセットの持続時間または周波数のうちの少なくとも１つを変更すること
をさらに備える、請求項１に記載の方法。
【請求項４】
前記スモール基地局または前記ＵＥデバイスのいずれが前記割り振られた送信リソースのセットを使用してパイロット信号を送信するべきかを示す情報を送信すること
をさらに備える、請求項１に記載の方法。
【請求項５】
前記スモール基地局または前記ＵＥデバイスのいずれがパイロット信号送信用の前記割り振られた通信リソースのセットを使用するべきかを決定することが、
前記第１の基地局の前記カバレージエリア内のスモール基地局の数を前記第１の基地局の前記カバレージエリア内のＵＥデバイスの数と比較することと、
ＵＥデバイスの前記数がスモール基地局の前記数よりも小さいことを前記比較が示すとき、パイロット信号を送信するために前記ＵＥデバイスを選択することと、
ＵＥデバイスの前記数がスモール基地局の前記数よりも小さくないことを前記比較が示すとき、パイロット信号を送信するために前記スモール基地局を選択することと含む、請求項１に記載の方法。
【請求項６】
前記第１の基地局の前記カバレージエリア内のＵＥデバイスの新しい数または前記第１の基地局の前記カバレージエリア内のスモール基地局の新しい数を示す更新された情報を使用して、
前記スモール基地局または前記ＵＥデバイスのいずれがパイロット信号送信用の前記割り振られた通信リソースのセットを使用するべきかを決定することと、
前記スモール基地局または前記ＵＥデバイスのいずれが前記割り振られた通信リソースのセットを使用してパイロット信号を送信するべきかを示す情報を送信すること
のステップを繰り返すこと
をさらに備える、請求項４に記載の方法。
【請求項７】
スモール基地局が位置するカバレージエリアを有するセルに対応する第１の基地局であって、
複数のスモール基地局またはユーザ機器（ＵＥ）デバイスのうちのいずれかによるパイロット信号送信用の通信リソースの同じセットを割り振るための手段と、前記割り振られた通信リソースのセットはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースのセットを使用するべきかを決定するための手段と、前記決定することは、前記第１の基地局のカバレージエリア内の前記スモール基地局の密度およびアクティブＵＥデバイスの密度に基づく、
パイロット信号送信用に割り振られた前記通信リソースのセットを示す情報を、前記スモール基地局または前記ＵＥデバイスのうちの少なくとも１つに通信するための手段と
を備える、第１の基地局。
【請求項８】
信号を送信するために前記割り振られた通信リソースのセットを使用することを控えるように、前記第１の基地局を制御するための手段
をさらに備える、請求項７に記載の第１の基地局。
【請求項９】
前記第１の基地局に対応する前記カバレージエリア内のスモール基地局の数における変化またはＵＥデバイスの数における変化に応答して、前記スモール基地局またはＵＥデバイスによるパイロット信号送信用に割り振られた前記通信リソースのセットの持続時間または周波数のうちの少なくとも１つを変更するための手段
をさらに備える、請求項７に記載の第１の基地局。
【請求項１０】
通信するための前記手段が、前記スモール基地局または前記ＵＥデバイスのいずれが前記割り振られた送信リソースのセットを使用してパイロット信号を送信するべきかを示す情報を送信するための手段を含む、請求項７に記載の第１の基地局。
【請求項１１】
前記スモール基地局または前記ＵＥデバイスのいずれがパイロット信号送信用の前記割り振られた通信リソースのセットを使用するべきかを決定するための前記手段が、
前記第１の基地局の前記カバレージエリア内のスモール基地局の数を前記第１の基地局の前記カバレージエリア内のＵＥデバイスの数と比較するための手段と、
ＵＥデバイスの前記数がスモール基地局の前記数よりも小さいことを前記比較が示すとき、パイロット信号を送信するために前記ＵＥデバイスを選択するための手段と、
ＵＥデバイスの前記数がスモール基地局の前記数よりも小さくないことを前記比較が示すとき、パイロット信号を送信するために前記スモール基地局を選択するための手段と含む、請求項７に記載の第１の基地局。
【請求項１２】
スモール基地局が位置するカバレージエリアを有するセルに対応する第１の基地局であって、
複数のスモール基地局またはユーザ機器（ＵＥ）デバイスのうちのいずれかによるパイロット信号送信用の通信リソースの同じセットを割り振ることと、前記割り振られた通信リソースのセットはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースのセットを使用するべきかを決定することと、前記決定は、前記第１の基地局のカバレージエリア内の前記スモール基地局の密度およびアクティブＵＥデバイスの密度に基づく、
パイロット信号送信用に割り振られた前記通信リソースのセットを示す情報を、前記スモール基地局または前記ＵＥデバイスのうちの少なくとも１つに通信することと
を行うように構成された、少なくとも１つのプロセッサと、
前記少なくとも１つのプロセッサに結合されたメモリと
を備える、第１の基地局。
【請求項１３】
前記少なくとも１つのプロセッサが、
前記第１の基地局に対応する前記カバレージエリア内のスモール基地局の数における変化またはＵＥデバイスの数における変化に応答して、前記スモール基地局またはＵＥデバイスによるパイロット信号送信用に割り振られた前記通信リソースのセットの持続時間または周波数のうちの少なくとも１つを変更すること
を行うようにさらに構成された、請求項１２に記載の第１の基地局。
【請求項１４】
前記少なくとも１つのプロセッサが、前記スモール基地局または前記ＵＥデバイスのいずれがパイロット信号送信用の前記割り振られた通信リソースのセットを使用するべきかを決定するように構成されることの一部として、
前記第１の基地局の前記カバレージエリア内のスモール基地局の数を前記第１の基地局の前記カバレージエリア内のＵＥデバイスの数と比較することと、
ＵＥデバイスの前記数がスモール基地局の前記数よりも小さいことを前記比較が示すとき、パイロット信号を送信するために前記ＵＥデバイスを選択することと、
ＵＥデバイスの前記数がスモール基地局の前記数よりも小さくないことを前記比較が示すとき、パイロット信号を送信するために前記スモール基地局を選択することと
を行うようにさらに構成された、請求項１２に記載の第１の基地局。
【請求項１５】
スモール基地局が位置するカバレージエリアを有するセルに対応する第１の基地局で使用するためのコンピュータプログラムであって、
複数のスモール基地局またはユーザ機器（ＵＥ）デバイスのうちのいずれかによるパイロット信号送信用の通信リソースの同じセットを割り振ることを少なくとも１つのコンピュータに行わせるためのコードと、前記割り振られた通信リソースのセットはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースのセットを使用するべきかを決定することを前記少なくとも１つのコンピュータに行わせるためのコードと、前記決定は、前記第１の基地局のカバレージエリア内の前記スモール基地局の密度およびアクティブＵＥデバイスの密度に基づく、
パイロット信号送信用に割り振られた前記通信リソースのセットを示す情報を、前記スモール基地局または前記ＵＥデバイスのうちの少なくとも１つに通信することを前記少なくとも１つのコンピュータに行わせるためのコードと
を備える、コンピュータプログラム。
【発明の詳細な説明】
【技術分野】
【０００１】
関連出願の相互参照
[0001]本特許出願は、２０１３年３月１４日に出願され、本出願の譲受人に譲渡された、「Ｃｏｍｍｕｎｉｃａｔｉｏｎｓ  Ｍｅｔｈｏｄｓ  ａｎｄ  Ａｐｐａｒａｔｕｓ  ｆｏｒ  Ａｌｌｏｃａｔｉｏｎ  ｏｆ  Ｒｅｓｏｕｒｃｅｓ  ａｎｄ  Ｈａｎｄｏｖｅｒ  Ｒｅｌａｔｅｄ  Ｍｅａｓｕｒｅｍｅｎｔｓ」と題する、Ｌｉらによる米国特許出願第１３／８２８，４２０号の優先権を主張する。
【０００２】
[0002]様々な実施形態は、ワイヤレス通信の方法および装置に関し、より詳細には、モバイルワイヤレス端末およびマクロ基地局に加えて、スモール基地局、たとえばフェムト基地局および／またはピコ基地局が展開されるシステムにおける、信号、たとえばパイロット信号の送信および関連する測定用の通信リソースを効率的に割り振るためのワイヤレス通信の方法および装置に関する。
【背景技術】
【０００３】
[0003]セルラーシステムでは、通常、基地局は、チャネル推定ならびにＲＳＳＩ（受信信号強度指示）測定のために、たとえばサブフレームごとに広帯域パイロットを送信する。ハンドオーバに関連する測定は、従来、ユーザ機器（ＵＥ）デバイス、たとえば、携帯電話などのワイヤレス端末によって行われている。通常のセルラーシステムでは、ＵＥは受信パイロット信号に対して測定を実行し、ハンドオーバ用の候補基地局のＲＳＳＩ測定値をサービング基地局に報告する。そのような設計の作業仮説は、基地局が計画された方式で展開され、基地局が常に送信しており、ＵＥの数が基地局の数よりもはるかに大きいことである。しかしながら、様々なシステムで（スモールセルとも呼ばれる）スモール基地局が展開されると、そのような仮説が常に正しいとは限らない。
【０００４】
[0004]将来のセルラーシステムは、スモールセルの密集した無計画な展開を有すると想定される。カバレージエリアが小さいスモール基地局の密集した無計画な展開により、スモールセルが各サブフレーム内でパイロットを送信することは、パイロット汚染（たとえば、パイロット信号間の干渉）を引き起こすので、効率的ではない。スモールセルのパイロットは互いに干渉し、アクティブスモールセルおよびマクロセルからのトラフィックによって干渉される。これにより、誤ったＲＳＳＩ測定がＵＥによって行われることになり得る。
【０００５】
[0005]領域内のＵＥの数がスモールセルの数に匹敵するか、またはそれよりも少ないとき、多くのスモールセルは、しばしばＵＥと通信していない、すなわち、多くのスモールセルは、大部分の時間それらに接続されたＵＥを有していない。そのようなスモールセルによるパイロット送信は、アクティブスモールセルの送信、たとえば、それらに接続されたアクティブＵＥを有するスモール基地局による送信に対する干渉を引き起こす可能性がある。さらに、パイロット送信はまた、そのような送信が行われるべきでなかった場合に必要であったはずの電力量と比較して、スモールセルの電力消費を増大させる。
【０００６】
[0006]いくつかの条件下では、エリア内のスモールセルの数がエリア内のＵＥの数を上回る場合があるが、これは常にそうであるとは限らず、時間とともに変化する可能性がある。
【０００７】
[0007]上記の説明から、パイロット信号送信用のリソースの効率的な利用をもたらす、パイロット送信用のリソースを動的に割り振る方法および／または装置が必要であることを諒解されたい。
【発明の概要】
【０００８】
[0008]通信リソース、たとえば、パイロット信号を送信するために使用され得るリソースの効率的な使用を容易にする方法および装置が記載される。様々な特徴は、ユーザ機器（ＵＥ）デバイス、たとえばワイヤレス端末と、マクロ基地局（たとえば、ｅＮＢとも呼ばれるｅノードＢ）と、スモール基地局、たとえばフェムトセルまたはピコセルとを含む通信システムにおいて、ハンドオーバに関連する測定と、ハンドオーバに関連する測定に使用され得るリソースの効率的な割振りとを容易にする。様々な実施形態に記載される特徴のうちのいくつかは、たとえば、スモール基地局、たとえばフェムトセルおよび／またはピコセルの数が、エリア内のアクティブＵＥ（ユーザ機器デバイス）の数に匹敵するか、またはそれを超えるエリア内にスモール基地局が密集して展開されたシステムに好適である。少なくともいくつかのＬＴＥの実施形態では、アクティブＵＥは、ＲＲＣ接続されたＵＥであるＵＥであると考えられる。
【０００９】
[0009]いくつかの実施形態の一態様によれば、マクロ基地局は、アクティブＵＥデバイスおよび／またはスモール基地局による、広帯域信号、たとえばパイロット信号の送信用の周期的な通信リソースを割り振る。アクティブＵＥ用の周期的な通信リソースはアップリンク（ＵＬ）帯域に割り振られ、スモール基地局用の周期的なリソースはダウンリンク（ＤＬ）帯域に割り振られる。いくつかの実施形態では、アクティブＵＥ用とスモール基地局用の両方の周期的な通信リソースは、同じ（ＤＬまたはＵＬ）帯域に割り振られる。いくつかの実施形態では、いつでも、マクロ基地局は、ＵＥによるパイロット信号送信またはスモール基地局によるパイロット信号送信用のリソースを割り振るが、両方のリソースは割り振らず、マクロ基地局は、任意の所与の時間期間の間、ＵＥまたはスモール基地局のいずれがパイロット信号送信を実行するのかを制御する。
【００１０】
[0010]必ずしもすべてとは限らないが、いくつかの実施形態では、マクロ基地局は、アクティブＵＥおよびスモールセルがそのマクロ基地局のカバレージ内にあるマクロセル内のスモールセルの密度およびアクティブＵＥの密度に基づいて割り振られた通信リソース内で送信するように、スモールセルまたはアクティブＵＥのいずれかを構成する。いくつかの実施形態では、エリア、たとえばマクロセルに対応するマクロセルのカバレージエリア内のＵＥの数が、そのエリア内のスモールセルの数よりも小さい場合、マクロ基地局（ｅＮＢ）は、ハンドオーバリソース、たとえばパイロット信号通信リソースを使用してパイロット信号を送信するように、アクティブＵＥを構成する。いくつかのそのような実施形態では、ハンドオーバリソースがスモールセルではなくパイロット信号送信用にＵＥによって使用されるべきであるとき、スモールセルは、ハンドオーバリソースを使用してアクティブＵＥによって送信される信号を受信するように構成される。代替として、いくつかの実施形態では、たとえば、アクティブＵＥの数がスモールセルの数よりも大きい場合、マクロセル（ｅＮＢ）は、ハンドオーバリソース内でパイロット信号を送信するように、エリア、たとえばマクロセルのカバレージエリア内のスモールセルを構成する。そのような場合、アクティブＵＥは、ハンドオーバリソースを使用してスモールセルによって送信される信号を受信するように構成される。
【００１１】
[0011]いくつかの実施形態では、アクティブＵＥがパイロットを送信するように構成されたとき、マクロ基地局のカバレージエリアの下のスモールセルは、パイロット送信専用に割り振られた通信リソース内でパイロットを送信しないように制御される。さらに、少なくともいくつかの実施形態では、スモールセルは、パイロット送信用に割り振られた周期的なリソース上でいかなるＵＥ送信もスケジュールしない。少なくともいくつかのそのような実施形態では、ＵＥは、パイロット信号送信に使用するためにパイロット信号リソースを選択する場合があり、他のデバイスがパイロット信号のソースを識別することができるように、パイロット信号送信の一部としてデバイス識別子を送信する場合がある。他の実施形態では、デバイスは、それらのデバイス識別子に基づいて、複数のパイロット信号リソースのうちのどれが使用されるべきかを知る場合がある。
【００１２】
[0012]構成は時間的および空間的に動的に変化する可能性があり、マクロ基地局は、ＵＥまたはスモールセルのいずれが所与の時間期間の間にパイロット信号を送信するべきかを制御する。加えて、マクロ基地局は、たとえば、エリア内のスモールセルおよび／またはＵＥの数に基づいて、所与の時間期間の間に使用可能なパイロット信号送信リソースの量を制御および／または変更することができる。マクロ基地局は、スモール基地局もしくはＵＥのいずれが時間期間の間にパイロットを送信するべきかを示す情報、および／またはそのような信号送信専用の通信リソースを示す情報を送信、たとえばブロードキャストすることができ、いくつかの実施形態では送信する。送信された情報に基づいて、ＵＥはパイロットの監視または送信のいずれかを行う。たとえば、パイロット信号リソースがＵＥによるパイロット信号送信専用である場合、ＵＥがパイロットを送信する。しかしながら、パイロット信号リソースがスモール基地局のパイロット信号送信専用である場合、スモール基地局がパイロットを送信し、ＵＥはパイロット信号送信を監視する。
【００１３】
[0013]一実施形態による、スモール基地局、たとえばフェムト基地局またはピコ基地局が位置するカバレージエリアを有するセルに対応する第１の基地局（たとえば、マクロ基地局）を動作させる例示的な方法は、複数のスモール基地局またはＵＥデバイスのうちのいずれかによるパイロット信号送信用の通信リソースを割り振ることと、前記割り振られた通信リソースはパイロット信号送信専用である、スモール基地局またはＵＥデバイスのいずれがパイロット信号送信用の前記割り振られた通信リソースを使用するべきかを決定することと、パイロット信号送信用に割り振られた通信リソースを示す情報を前記スモール基地局またはＵＥデバイスのうちの少なくとも１つに通信することとを備える。
【００１４】
[0014]一実施形態による、スモール基地局が位置するカバレージエリアを有するセルに対応する第１の基地局（たとえば、マクロ基地局）は、複数のスモール基地局またはＵＥデバイスのうちのいずれかによるパイロット信号送信用の通信リソースを割り振ることと、前記割り振られた通信リソースはパイロット信号送信専用である、スモール基地局またはＵＥデバイスのいずれがパイロット信号送信用の前記割り振られた通信リソースを使用するべきかを決定することと、パイロット信号送信用に割り振られた通信リソースを示す情報を前記スモール基地局またはＵＥデバイスのうちの少なくとも１つに通信することとを行うように構成された、少なくとも１つのプロセッサを備える。第１の基地局は、少なくとも１つのプロセッサに結合されたメモリを含む場合があり、いくつかの実施形態では含む。
【００１５】
[0015]少なくともいくつかの実施形態では、スモール基地局、たとえばフェムトセルまたはピコセルを動作させる例示的な方法は、パイロット送信専用の通信リソースを示す情報を受信することと、ＵＥデバイスにパイロット信号を送信する際、またはＵＥデバイスからパイロット信号を受信する際の使用専用の通信リソースを決定することと、場合によっては受信された情報に基づいて、基地局が専用の通信リソース上でパイロット信号を送信するべきか、ＵＥデバイスが専用の通信リソースを使用してパイロット信号を送信するべきかを決定することとを含む。少なくともいくつかのそのような実施形態では、スモール基地局またはＵＥデバイスのうちの１つによるパイロット送信用にマクロ基地局によって専用化されたリソースは、スモール基地局またはＵＥデバイスのいずれかによって使用され、同時に両方によって使用されない。
【００１６】
[0016]例示的な一実施形態に従って実装された例示的なスモール基地局は、パイロット信号送信専用の通信リソースが、スモール基地局により、ＵＥデバイスにパイロット信号を送信する際に使用するためか、ＵＥデバイスからパイロット信号を受信する際に使用するためかを決定することと、スモール基地局が専用の通信リソース上でパイロット信号を送信するべきか、ＵＥデバイスが専用の通信リソースを使用してパイロット信号を送信するべきかを示すマクロ基地局からの情報、たとえば信号を受信することとを行うように構成された、少なくとも１つのプロセッサを備える。
【００１７】
[0017]例示的な一実施形態に従ってユーザ機器（ＵＥ）デバイスを動作させる例示的な一方法は、パイロット送信専用の通信リソースを示す情報を受信することと、基地局にパイロット信号を送信する際、または基地局からパイロット信号を受信する際の使用専用の通信リソースを決定することと、場合によっては受信された情報に基づいて、基地局が前記専用の通信リソース上でパイロット信号を送信するべきか、ＵＥデバイスが前記専用の通信リソースを使用してパイロット信号を送信するべきかを決定することとを備える。
【００１８】
[0018]少なくともいくつかの実施形態における例示的なユーザ機器デバイスは、一組の通信リソース、たとえばパイロット信号送信リソースが、基地局にパイロット信号を送信する際に使用するためか、基地局からパイロット信号を受信する際に使用するためかを決定することと、基地局、たとえばスモール基地局が専用の通信リソース上でパイロット信号を送信するべきか、ＵＥデバイスが前記専用の通信リソースを使用してパイロット信号を送信するべきかを示す基地局からの情報、たとえばブロードキャスト信号を受信することとを行うように構成された、少なくとも１つのプロセッサを含む。ユーザ機器デバイスは、少なくとも１つのプロセッサに結合されたメモリを含む場合があり、いくつかの実施形態では含む。
【００１９】
[0019]様々な実施形態が上記の概要で説明されたが、必ずしもすべての実施形態が同じ特徴を含むとは限らず、上記で説明された特徴のいくつかは、いくつかの実施形態では必要ではないが望ましいことであり得ることを諒解されたい。多数の追加の特徴、実施形態、および様々な実施形態の利益が、以下の発明を実施するための形態において説明される。
【図面の簡単な説明】
【００２０】
【図１】[0020]例示的な一実施形態に従って実装される例示的なワイヤレス通信システムを示す図。
【図２】[0021]例示的な一実施形態による、図１に示されたシステムの第１の基地局を動作させる例示的な方法を示すフローチャート。
【図３】[0022]図１の例示的なシステムに示されたマクロ基地局として使用され得る例示的な第１の基地局、たとえばｅノードＢを示す図。
【図４】[0023]図３に示された例示的な第１の基地局において使用され得るモジュールのアセンブリを示す図。
【図５】[0024]図５Ａと図５Ｂの組合せを備える図。
【図５Ａ】例示的な一実施形態による、図１に示されたシステムの基地局を動作させる例示的な方法を示すフローチャート。
【図５Ｂ】例示的な一実施形態による、図１に示されたシステムの基地局を動作させる例示的な方法を示すフローチャート。
【図６】[0025]図１の例示的なシステムに示されたスモール基地局のうちの任意の１つとして使用され得る例示的な基地局、たとえばフェムト基地局またはピコ基地局を示す図。
【図７】[0026]図６に示された例示的な基地局において使用され得るモジュールのアセンブリを示す図。
【図８】[0027]例示的な実施形態による、たとえば、基地局またはユーザ機器デバイスからマクロ基地局または中央制御ノードに通信される場合がある、例示的な測定報告を示す図。
【図９】[0028]図９Ａと図９Ｂの組合せを備える図。
【図９Ａ】例示的な一実施形態による、図１に示されたシステムのユーザ機器デバイスを動作させる例示的な方法を示すフローチャート。
【図９Ｂ】例示的な一実施形態による、図１に示されたシステムのユーザ機器デバイスを動作させる例示的な方法を示すフローチャート。
【図１０】[0029]図１の例示的なシステムに示されたユーザ機器（ＵＥ）のうちの任意の１つとして使用され得る例示的なユーザ機器デバイスを示す図。
【図１１】[0030]図１０に示された例示的なユーザ機器デバイスにおいて使用され得るモジュールのアセンブリを示す図。
【図１２】[0031]パイロット信号を送る際の使用専用の通信リソースを使用して、基地局またはＵＥデバイスのいずれがパイロット信号を送信するべきかを決定するために、いくつかの実施形態において使用される一組のステップを示す図。
【発明を実施するための形態】
【００２１】
[0032]図１は、セル１  １６１によって表されるカバレージエリアを有する基地局１２４、たとえばマクロ基地局と、ＵＥ１  １０２、ＵＥ２  １０４、ＵＥ３  １０６からＵＥＮ  １１０までを含む複数のユーザ機器デバイス（ＵＥ）、たとえばワイヤレス端末と、スモール基地局１  １１２、スモール基地局２  １１４、スモール基地局３  １１６からスモール基地局Ｋ １２０までを含む、スモールセルとも呼ばれる複数のスモール基地局とを含む、例示的な通信システム１００を示す。
【００２２】
[0033]各スモール基地局は、たとえばフェムトセルまたはピコセルであり得る。基地局１２４は（マクロセルとも呼ばれる）マクロ基地局であり、そのカバレージエリア、たとえばセル１６１内のＵＥのうちの少なくともいくつかのための接続ポイントして働く。マクロ基地局１２４は、ｅノードＢとして実装される場合があり、いくつかの実施形態では実装される。フェムトセルは、技術的に固有ではない用語であるように意図され、広範囲の様々なタイプのフェムトセルのうちのいずれかを指すために使用され得る。スモール基地局のカバレージエリアは、通常、非常に小さく、たとえば、マクロ基地局のカバレージエリアの５０％未満である。したがって、図１に示されたように、複数のスモール基地局は、単一のマクロ基地局１２４のカバレージエリア内にあり得る。本出願におけるフェムトセルは、技術的に固有の用語を使用して明確に識別されない限り、特定の技術に限定されるものではない。フェムトセルは、ＬＴＥではＨｅＮＢ（ホームｅノードＢ）として実装される場合があり、３ＧＰＰ用語では、ホームノードＢ（ＨＮＢ）がフェムトセルである。必ずしもすべてとは限らないが、いくつかの実施形態では、フェムトセルは１０メートル程度のレンジ（半径）を有し、ピコセルは２００メートル以下のレンジを有する。これは、マクロセルの通常のレンジよりもかなり小さく、マクロセルは、３５キロメートル（約２２マイル）までのレンジを有する場合があり、いくつかの実施形態では有する。そのような大きいレンジがマクロ基地局向けに可能であるが、マクロ基地局１２４には小さいレンジがしばしば使用される。スモールセルは、フェムトセルおよびピコセルに加えて、他のタイプのスモールセルを含む場合がある。たとえば、マイクロセルという用語は、約１２メートルのレンジを有する基地局を指すために、いくつかの企業によって使用される。したがって、マイクロセルという用語は、いくつかの企業によって自社のフェムトセルを指すために使用されるが、そのようなセルは、本出願に含まれる説明の目的でスモールセルと考えられるべきである。
【００２３】
[0034]基地局およびＵＥに加えて、システム１００は、モビリティ管理エンティティ（ＭＭＥ）１６０と、制御ノード１３０、たとえば無線ネットワークコントローラなどの中央制御エンティティとをさらに含む。システム１００は、セルＭ  １７１によって図に示されたように、対応するカバレージエリアを有する複数の他のマクロ基地局を含む場合がある。セルＭ  １７１は、セル１  １６１と同様であり得るし、セルＭ  １７１によって示されたカバレージエリアが対応するマクロ基地局に加えて、複数のＵＥデバイスとスモール基地局とを含む場合がある。いくつかの実施形態では、マクロ基地局１２４とスモール基地局は、モバイルデバイスの位置の追跡を容易にするために、ならびに／または他の通信サービス、たとえばページングおよび／もしくは位置ベースのサービスをサポートするか、もしくはシステム１００内のＵＥデバイスに提供するために、ＭＭＥデバイス１６０とシグナリングおよび情報を交換する。単一のＭＭＥ１６０が図１に示されているが、システム１００は複数のＭＭＥを含む場合があることを諒解されたい。
【００２４】
[0035]様々な実施形態では、図１に示されたＵＥは、基地局を介したワイドエリアネットワーク（ＷＡＮ）通信、たとえばセルラーネットワーク通信、ならびにピアツーピア通信、たとえば直接デバイス間通信をサポートする。必ずしもすべてとは限らないが、いくつかの実施形態では、１つまたは複数のＵＥデバイスは、ハンドヘルド携帯電話またはポータブル個人情報端末（ＰＤＡ）デバイスなどのポータブル通信デバイスとして実装される。様々な基地局（たとえば、マクロ基地局およびスモール基地局）、ならびに／または制御ノード１３０およびＭＭＥ１６０などの他の基盤要素は、いくつかの実施形態では、情報を交換するために互いに、および／または他の基盤ノードにバックホールリンクを介して結合される。バックホールリンクは、有線またはワイヤレスのリンクであり得る。
【００２５】
[0036]いくつかの実施形態の一態様によれば、マクロ基地局１２４は、たとえば、マクロ基地局のカバレージエリア内で、ＵＥデバイスまたはスモール基地局によるパイロットおよびデバイス識別情報の送信用に、周期的な通信リソース（時間リソースおよび周波数リソース）を割り振る。いくつかの実施形態では、識別情報の一部は、ＵＥデバイスまたはスモール基地局によって送信されるパイロットシーケンスを決定する場合がある。通信リソースは、パイロット信号を送信するために、デバイスによって使用され得る。たとえば、どの専用パイロット信号リソースを使用するべきかをＵＥデバイスが選択することができる、いくつかの実施形態では、ＵＥデバイスは、通常、デバイス識別情報とともに、パイロット、たとえば様々なトーンで送信される１つまたは複数の基準信号を送信し、その結果、パイロットを受信するデバイスは、どのＵＥがパイロットを送信したかを識別することができる。したがって、パイロットリソースは、パイロット信号および／または対応する情報、たとえば送信デバイスを識別する情報に専用であるが、いくつかの実施形態では、リソースは固有の個々のデバイスに専用ではないので、リソースを使用するためにそれら自体の間で競合する様々なＵＥおよび／またはスモール基地局との競合ベースで、リソースが自律的に使用される場合がある。
【００２６】
[0037]いくつかの実施形態では、いつでも、マクロ基地局１２４は、たとえば、マクロ基地局１２４のカバレージエリア内で、割り振られた周期的な通信リソースを使用してパイロット信号を送信するように、両方ではないが、ＵＥデバイスまたはスモール基地局のいずれかを構成する。ＵＥデバイスまたはスモール基地局のいずれがパイロット信号を送信するべきかの決定は、たとえば、マクロセルのカバレージエリア内のスモール基地局の数および／もしくは密度、ならびに／またはマクロ基地局１２４のカバレージエリア内のアクティブＵＥデバイス（すなわち、非アイドルＵＥ）の数もしくは密度に基づく。ＵＥデバイスまたはスモール基地局のいずれが送信するべきかの決定は、いくつかの実施形態では、エリア内のアクティブＵＥの数に対するスモール基地局の数に基づく。いくつかの実施形態の一態様によれば、スモール基地局が密集して展開される、たとえば、エリア内のスモール基地局の数ＫがアクティブＵＥの数Ｎに匹敵するか、またはそれを超える（たとえば、Ｋ＞Ｎ）とき、マクロ基地局１２４は、割り振られた周期的な通信リソースを使用してパイロットを送信するようにアクティブＵＥデバイスを構成し、割り振られた周期的な通信リソース上でＵＥデバイスによって送信されるパイロット信号を受信するようにスモール基地局を構成し、パイロットを送信することを控えるようにスモール基地局を制御する。いくつかの実施形態では、エリア内のアクティブＵＥデバイスの数がスモール基地局の数よりも大きい（たとえば、Ｎ＞Ｋ）とき、マクロ基地局１２４は、割り振られた周期的な通信リソースを使用してパイロットを送信するようにスモール基地局を構成し、パイロットを送信することを控え、割り振られた周期的な通信リソース上でスモールセルによって送信されるパイロット信号を受信するようにアクティブＵＥデバイスを構成する。
【００２７】
[0038]したがって、少なくともいくつかの実施形態では、マクロ基地局１２４は、マクロ基地局１２４に加えて、所与の時間間隔の間にパイロットを送信しようとするデバイスの数を最小化するように意図された方式で、ＵＥまたはスモール基地局のいずれがパイロット信号を送信するべきかの決定を行う。ＵＥまたはスモールセルのいずれがパイロットを送信するかにかかわらず、マクロ基地局１２４は通常の方式でパイロットを送信することに留意されたい。ＵＥまたはスモール基地局のいずれがパイロットを送信するべきかの決定は、たとえば回帰ベースで、たとえば周期的に、またはマクロ基地局のカバレージエリア内もしくはマクロ基地局のカバレージエリアの部分内のスモール基地局もしくはアクティブＵＥの数における変化が検出されたとき、マクロ基地局１２４によって行われる。いくつかの実施形態では、スモール基地局またはＵＥデバイスのいずれがパイロットを送信するべきかの決定は、現在の構成にも基づき、たとえば、マクロ基地局は、ピンポン効果を回避するために、他の構成に切り替える際にヒステリシスを有することができる。いくつかの実施形態では、ＵＥデバイスがパイロット信号を送信するべきであるとマクロ基地局が決定した場合、マクロ基地局は、スモール基地局の数（Ｋ）に対するアクティブＵＥデバイスの数（Ｎ）の比が第１のしきい値を超える場合、スモール基地局がパイロットを送信するべきであると決定する。同様に、スモール基地局がパイロット信号を送信するべきであるとマクロ基地局が決定した場合、マクロ基地局は、スモール基地局の数（Ｋ）に対するアクティブＵＥデバイスの数（Ｎ）の比が第２のしきい値を下回る場合、ＵＥデバイスがパイロットを送信するべきであると決定する。いくつかの実施形態では、第１のしきい値および第２のしきい値は、ＵＥデバイスの数およびスモール基地局の数に依存する場合がある。
【００２８】
[0039]マクロ基地局以外のエンティティによるパイロット信号送信専用のリソースの量は、エリア内のスモール基地局およびアクティブＵＥデバイスの数における変化に応答して、再考および変更され得るし、時々再考および変更される。したがって、少なくともいくつかの実施形態では、マクロ基地局は、様々な時点でパイロット信号送信専用のリソースの量を変更することができ、変更する。いくつかの実施形態では、パイロット信号送信用に割り振られるリソースの量を決定することは、ＵＥデバイスまたはスモール基地局のいずれがパイロットを送信するべきかを決定する、マクロ基地局の同じモジュールおよび／または構成要素によって実行される。
【００２９】
[0040]送信デバイス（たとえば、マクロ基地局１２４によって指定された構成に応じてＵＥデバイスまたはスモール基地局）は、割り振られた通信リソース、たとえば専用パイロット信号リソースから通信リソースを選択し、たとえば周期的に、選択された送信リソースを使用して、識別情報とともにパイロットを送信する。したがって、専用リソースのセットからどのパイロット信号リソースを選択するべきかは、通常、デバイス、たとえば、パイロット信号を送信するべきスモール基地局またはＵＥデバイスによって自律的に行われる。マクロ基地局が衝突を回避または最小化するのに十分なリソースを割り振る場合、および、パイロットを送信するスモール基地局とＵＥデバイスとの間のマクロ基地局の選択により、たとえば、パイロット信号を送信するデバイスの数を最小化する可能性がある選択を行うことによって、衝突の機会は低減される。パイロット信号を受信するように構成されたデバイス（マクロ基地局１２４によって設定された構成に応じてＵＥデバイスまたはスモール基地局）は、測定、たとえば受信信号強度および／または他の信号の測定を実行し、測定結果と対応するデバイス識別子とを、たとえば基地局１２４または制御ノード１３０に報告する。いくつかの実施形態では、マクロ基地局または制御ノードは、ハンドオーバ決定を行うために、受信された報告を使用する。
【００３０】
[0041]上記で説明されたいくつかの例が様々な特徴を記載するために使用されたが、いくつかの実施形態において使用される方法は、図２、図５、および図９に示されるフローチャートに鑑みて考慮されると、一層明らかになろう。
【００３１】
[0042]図２は、例示的な実施形態による、スモール基地局が位置するカバレージエリアを有するセルに対応する第１の基地局、たとえばマクロ基地局を動作させる例示的な方法のステップを示すフローチャート２００である。いくつかの実施形態では、フローチャート２００の方法を実施する第１の基地局は、たとえば、図１に示されたマクロ基地局１２４である。第１の基地局１２４は、ｅノードＢとして実装される場合があり、いくつかの実施形態では実装される。説明のために、ＢＳ１２４がフローチャート２００の方法を実施する第１の基地局であると考えられたい。いくつかの実施形態では、スモール基地局はフェムトセルまたはピコセルである。いくつかの実施形態では、スモール基地局は、第１の基地局のカバレージエリアの半分よりも小さいカバレージエリアを有する。
【００３２】
[0043]動作はステップ２０２で始まる。ステップ２０２において、第１の基地局が電源投入され、初期化される。動作は開始ステップ２０２からステップ２０４に進む。ステップ２０４において、第１の基地局は、第１の基地局のカバレージエリア、たとえば、図１に示されたセル１  １６１内のスモール基地局の数とアクティブユーザ機器（ＵＥ）デバイスの数とを決定する。いくつかの実施形態では、決定された第１の基地局のカバレージエリア内のスモール基地局の数とアクティブユーザ機器（ＵＥ）デバイスの数とを示す情報は、第１の基地局によって、たとえばメモリに記憶される。アクティブＵＥデバイスのうちのいくつかは、第１の基地局に接続されていない場合があり、第１の基地局のカバレージ内の複数のスモール基地局のうちのいくつかに接続されている場合があることに留意されたい。
【００３３】
[0044]カバレージエリア内で動作するスモール基地局およびアクティブＵＥの数の決定に続いて、いくつかの実施形態では、第１の基地局は、第１の基地局のカバレージエリア内のデバイスによるパイロット送信用に周期的な通信リソースのグループを専用化する。動作はステップ２０４から、非同期的に実行される場合があり、いくつかの実施形態では実行される、ステップ２０６および２０８に進む。ステップ２０６において、第１の基地局１２４は、複数のスモール基地局またはＵＥデバイスのうちのいずれかによるパイロット送信用の通信リソースを割り振り、割り振られた通信リソースはパイロット送信専用であり、スモール基地局は複数のスモール基地局のうちの１つである。動作はステップ２０６からステップ２１０に進み、そこで、第１の基地局は、信号を送信するために、および／または他の目的で、割り振られた通信リソースを使用することを控える、たとえば、第１の基地局は、任意の他のアップリンク／ダウンリンク通信用に、割り振られたリソースを使用／割当てしない。したがって、いくつかの実施形態では、第１の基地局は、割り振られた通信リソース内の（たとえば、ＵＥデバイスによる）データ送信をスケジュールすることを控える。
【００３４】
[0045]パイロット送信用の通信リソースは、広帯域パイロット信号送信を可能にするために、様々な搬送波で、または搬送波のセットにわたって割り振られる場合があり、いくつかの実施形態では割り振られる。したがって、受信デバイスは、パイロット信号を送信するデバイスの送信が遭遇する可能性がある、周波数のセットにわたる干渉の妥当な予測を行うこと、ならびに複数の周波数についてのＳＮＲ測定などの受信信号強度の測定を行うことができる。パイロットは広帯域であり得るが、それらの送信専用の通信リソースは、通常、送信デバイスが送信目的で使用する周波数帯域に対応する。たとえば、いくつかの実施形態では、スモール基地局がパイロットを送信するべきであるとき、スモールセルが送信する周波数帯域内で、たとえばダウンリンクの周波数帯域内で通信リソースが割り振られる。しかしながら、ＵＥがパイロットを送信するべきであるとき、マクロ基地局１２４は、ＵＥが送信する周波数帯域内、たとえばアップリンクの周波数帯域内のＵＥのパイロット信号送信に使用されるように、通信リソースを割り振る。したがって、アップリンクとダウンリンクが別個の周波数帯域を使用する周波数分割複信（ＦＤＤ）システムでは、マクロ基地局１２４が非マクロ基地局のパイロット信号送信用のリソースを割り振る周波数帯域は、ＵＥまたはスモール基地局のいずれがパイロットを送信するべきかに応じて変化する。アップリンクとダウンリンクが異なる時間に同じ周波数帯域を使用する時分割複信（ＴＤＤ）システムでは、リソースがパイロット信号送信用に割り振られる時間期間は、スモール基地局がパイロットを送信するべきか、ＵＥがパイロットを送信するべきかに応じて変化する。ＴＤＤシステムでは、スモール基地局がパイロットを送信するべきであるとき、リソースはダウンリンク送信時間期間内に専用化され、ＵＥデバイスがパイロットを送信するべきであるとき、アップリンク時間期間の間のパイロット信号送信リソースがマクロ基地局１２４によって割り振られる。いくつかの実施形態では、スモール基地局またはＵＥデバイスのいずれがパイロット信号を送信するべきかにかかわらず、マクロ基地局は、パイロット送信用にリソースの同じセットを割り振る場合がある。
【００３５】
[0046]いくつかの実施形態では、リソースがＵＥのパイロット送信用のアップリンク帯域内で割り振られたとき、マクロ基地局およびスモール基地局は、任意の他の目的で、割り振られた通信リソースを使用することを控える、たとえば、それらは、任意の他のアップリンク通信用に、アップリンク帯域から割り振られたリソースを割り当てない。同様に、いくつかの実施形態では、リソースがスモール基地局によるパイロット送信用のダウンリンク帯域内で割り振られたとき、マクロ基地局１２４およびスモール基地局は、パイロット信号と関連情報、たとえばパイロット信号とともに送信されるデバイス識別情報とを送信すること以外の任意の他の目的で、ダウンリンク帯域から割り振られた通信リソースを使用することを控える。
【００３６】
[0047]動作はステップ２１０からステップ２１２に進む。ステップ２１２において、第１の基地局は、カバレージエリア内のスモール基地局またはＵＥデバイスのいずれが、パイロット送信専用の割り振られた通信リソースを使用するべきかを決定する。様々な実施形態では、ステップ２１２を実行することの一部として、ステップ２１４、２１６、２１８、および２２０のうちの１つまたは複数が実行される。一態様によれば、第１の基地局のカバレージエリア内のスモール基地局またはＵＥのいずれが、所与の時間にパイロット信号送信用の割り振られたリソースを使用するべきかの決定は、所与の時間におけるカバレージエリア内のスモール基地局の数およびアクティブＵＥの数に依存する。それに応じて、第１の基地局は、その時間におけるカバレージエリア内のスモール基地局およびアクティブＵＥデバイスの数を知ることに基づいて、この決定を行う。したがって、ステップ２１４に示されたように、第１の基地局は、第１の基地局のカバレージエリア内のスモール基地局の数をアクティブＵＥデバイスの数と比較する。どのデバイスがパイロット信号を送信するために選択されるべきかに関する決定がステップ２１６で行われ、ステップ２１６はステップ２１４の一部として実行され、選択は決定に従って行われる。第１の基地局のカバレージエリア内のアクティブＵＥデバイスの数がスモール基地局の数よりも少ない場合、ステップ２１８が実行され、ここにおいて、第１の基地局はパイロット信号を送信するためにＵＥデバイスを選択する。第１の基地局のカバレージエリア内のスモール基地局の数がアクティブＵＥデバイスの数よりも少ない場合、ステップ２２０が実行され、ここで、第１の基地局はパイロット信号を送信するためにスモール基地局を選択する。
【００３７】
[0048]代替の実施形態では、図１２に示されたステップ２１２’がステップ２１２の代わりに実行される。図１２を参照すると、図面１２００に示されたように、ステップ２１２’において、第１の基地局は、カバレージエリア内のスモール基地局またはＵＥデバイスのいずれが、パイロット送信専用の割り振られた通信リソースを使用するべきかを決定する。図示された実施形態では、ステップ２１２’を実行することの一部として、ステップ２１４’、２１６’、２１８’、および２２０’のうちの１つまたは複数が実行される。ステップ２１４’に示されたように、第１の基地局は、第１の基地局のカバレージエリア内のアクティブＵＥデバイスの数に対する第１の基地局のカバレージエリア内のスモール基地局デバイスの数の比を計算する。次にステップ２１６’において、計算された比が第１のしきい値を上回るかどうかを決定するために比較が行われる。計算された比が第１のしきい値を上回る場合、ステップ２１８’が実行され、ここにおいて、第１の基地局はパイロット信号を送信するためにＵＥデバイスを選択する。計算された比が第１のしきい値を下回る場合、ステップ２２０’が実行され、ここで、第１の基地局はパイロット信号を送信するためにスモール基地局を選択する。
【００３８】
[0049]動作はステップ２１２（または実施形態に応じてステップ２１２’）からステップ２２２に進む。ステップ２２２において、第１の基地局は、リソース割振りと使用関連情報とを、たとえばスモール基地局またはＵＥデバイスのうちの少なくとも１つに通信する。いくつかの実施形態では、ステップ２２４および２２６は、ステップ２２２の一部として個別に実行される。ステップ２２４において、第１の基地局は、パイロット信号送信用に割り振られた通信リソースを示す情報を、少なくとも１つのスモール基地局またはＵＥデバイスに通信する。ステップ２２６において、第１の基地局は、スモール基地局またはＵＥデバイスのいずれが割り振られた通信リソースを使用してパイロット信号を送信するべきかの決定を示す情報を送信する。いくつかの実施形態では、ステップ２２４に示された割り振られたリソースに関する情報およびステップ２２６に示された決定に関する情報は、単一のメッセージ内で送信されるが、いくつかの実施形態では、その情報は、第１の基地局からの分離した個別のメッセージを介して通信される。動作はステップ２２４および２２６からステップ２０６に戻る。
【００３９】
[0050]次にステップ２０８に戻ると、様々な実施形態では、第１の基地局のカバレージエリア内のスモール基地局およびアクティブＵＥデバイスの数の最初の決定に続いて、第１の基地局は、たとえば継続的に、そのカバレージエリア内のスモール基地局またはアクティブＵＥデバイスの決定された数におけるいかなる変化も検出するように監視する。ステップ２０８において、第１の基地局は、第１の基地局のカバレージエリア内のスモール基地局またはアクティブＵＥデバイスの数のうちの少なくとも１つにおける変化を検出する。動作はステップ２０８からステップ２２８に進む。ステップ２２８において、第１の基地局は、たとえば、デバイスの数において検出された変化に基づいて、第１の基地局のカバレージエリア内のスモール基地局の数とアクティブユーザ機器（ＵＥ）デバイスの数とを示す情報を更新する。したがって、更新された情報は、第１の基地局のカバレージエリア内の新しいスモール基地局の数とアクティブユーザ機器（ＵＥ）デバイスの数とを反映する。
【００４０】
[0051]動作はステップ２２８からステップ２３０に進む。ステップ２３０において、第１の基地局は、第１の基地局のカバレージエリア内のスモール基地局の数またはアクティブユーザ機器（ＵＥ）デバイスの数のうちの少なくとも１つにおける変化に応答して、パイロット信号送信用に割り振られたリソースの持続時間または周波数のうちの少なくとも１つを変更する。したがって、様々な実施形態では、第１の基地局は、第１の基地局のカバレージエリア内のスモール基地局またはアクティブＵＥデバイスの数における検出された変化に基づいて、パイロット送信用に割り振られた通信リソースに対応する少なくとも１つの特性を変更する。たとえば、いくつかの実施形態では、カバレージエリア内のスモール基地局の数がアクティブＵＥの数を超えると決定されたとき、通信リソースは、アクティブＵＥが割り振られたリソースを介してパイロット信号とデバイス識別情報とを送信し、スモールセルが割り振られたリソースを介して受信する、アップリンク周波数帯域内のアップリンク通信用に割り振られる。いくつかの他の実施形態では、カバレージエリア内のＵＥデバイスの数がスモール基地局の数が超えるとき、通信リソースは、スモール基地局が割り振られたリソースを介してパイロット信号と識別情報とを送信し、ＵＥがリソースを介して受信する、ダウンリンク周波数帯域内のダウンリンク通信用に割り振られる。
【００４１】
[0052]動作はステップ２３０からステップ２０６および２０８に戻り、動作はこのように続く。様々な実施形態では、ステップ２０８、２２８、および２３０は継続的に実行される。したがって、カバレージエリア内のスモール基地局またはアクティブＵＥデバイスの数のうちの少なくとも１つにおける変化が検出されたとき、デバイスの数を示す情報は更新され、第１の基地局は、上記で説明されたように応答して、パイロット信号送信用に割り振られたリソースの持続時間または周波数のうちの少なくとも１つを変更する。
【００４２】
[0053]いくつかの実施形態では、次の繰返しにおいて、第１の基地局のカバレージエリア内の新しいスモール基地局の数とアクティブユーザ機器（ＵＥ）デバイスの数とを示す更新された情報は、ステップ２１２とステップ２２２とを繰り返すために使用されることを諒解されたい。
【００４３】
[0054]図３は、様々な実施形態による、例示的な通信デバイス３００、たとえば第１の基地局の図面である。例示的な第１の基地局３００は、図１のシステム１００に示された基地局１２４として使用され得る。例示的な第１の基地局３００は、パイロット信号送信のために、第１の基地局３００のカバレージエリア内のスモール基地局および／またはＵＥデバイスに通信リソースを割り振ることができ、時々割り振る。第１の基地局３００は、フローチャート２００による方法を実施する場合があり、時々実施する。
【００４４】
[0055]第１の基地局３００は、バス３０９を介して互いに結合されたプロセッサ３０２とメモリ３０４とを含み、様々な要素（３０２、３０４）はバス３０９を介してデータと情報とを交換する場合がある。第１の基地局３００は、図示されたように、プロセッサ３０２に結合され得る入力モジュール３０６と出力モジュール３０８とをさらに含む。しかしながら、いくつかの実施形態では、入力モジュール３０６および出力モジュール３０８は、プロセッサ３０２の内部に位置する。入力モジュール３０６は入力信号を受信することができる。入力モジュール３０６は、ワイヤレス通信リンクを介して入力を受信するためのワイヤレス受信機モジュール３２０を含む。入力モジュール３０６は、有線リンクおよび／または光リンクを介して入力を受信するための有線および／または光入力受信機モジュール３２２も含む。出力モジュール３０８は、ワイヤレス通信リンクを介して出力信号を送信するためのワイヤレス送信機モジュール３２６を含む。出力モジュール３０８は、有線リンクおよび／または光リンクを介して出力信号を送信するための有線および／または光出力送信機モジュール３２８も含む。メモリ３０４はルーチン３１１とデータ／情報３１３とを含む。
【００４５】
[0056]第１の基地局３００は、ワイヤレス受信機モジュール３２０に結合されたワイヤレス通信受信アンテナ３２４と、ワイヤレス送信機モジュール３２６に結合されたワイヤレス通信送信アンテナ３３０とをさらに含む。いくつかの実施形態では、入力と出力の両方のワイヤレス通信シグナリングに同じアンテナが使用される。有線および／または光受信機モジュール３２２ならびに有線および／または光送信機モジュール３２８は、リンク３３２を介して他のノードおよび／またはバックホールに結合される。
【００４６】
[0057]様々な実施形態では、プロセッサ３０２は、第１の基地局のカバレージエリア内のスモール基地局の数とユーザ機器（ＵＥ）デバイスの数とを決定することと、第１の基地局のカバレージエリア内の決定されたスモール基地局の数とユーザ機器（ＵＥ）デバイスの数とを、たとえばメモリ３０４に記憶することとを行うように構成される。
【００４７】
[0058]様々な実施形態では、プロセッサ３０２は、第１の基地局のカバレージエリア内のデバイスによるパイロット送信用に、いくつかの通信リソースを専用化する、たとえば、利用可能な通信リソースとは別に設定するように構成される。様々な実施形態では、プロセッサ３０２は、複数のスモール基地局またはＵＥデバイスのうちのいずれかによるパイロット送信用に通信リソースを割り振ることと、割り振られた通信リソースはパイロット送信専用であり、任意の他の目的で、割り振られた通信リソースを使用することを控えることとを行うようにさらに構成され、たとえば、プロセッサ３０２は、任意の他のアップリンク／ダウンリンク通信用に、割り振られたリソースを使用／割当てしないように第１の基地局を制御する。
【００４８】
[0059]様々な実施形態では、プロセッサ３０２は、たとえば所与の時間に、カバレージエリア内のスモール基地局またはＵＥデバイスのいずれが、パイロット送信専用の割り振られた通信リソースを使用するべきかを決定するようにさらに構成される。様々な実施形態では、所与の時間にカバレージエリア内のスモール基地局またはＵＥデバイスのいずれが、パイロット送信用の割り振られた通信リソースを使用するべきかを決定するように構成されることの一部として、プロセッサ３０２は、第１の基地局のカバレージエリア内のスモール基地局の数をＵＥデバイスの数と比較することと、比較に基づいて、どちらのデバイスがパイロット信号を送信するために選択されるべきか、およびどちらのデバイスがパイロット信号を受信するべきかに関して決定することとを行うようにさらに構成される。プロセッサ３０２は、第１の基地局３００のカバレージエリア内のＵＥデバイスの数がスモール基地局の数よりも少ないと比較が示したとき、パイロット信号を送信するためにＵＥデバイスを選択することと、第１の基地局のカバレージエリア内のスモール基地局の数がＵＥデバイスの数よりも少ない場合、パイロット信号を送信するためにスモール基地局を選択することとを行うようにさらに構成される。
【００４９】
[0060]様々な実施形態では、プロセッサ３０２は、たとえば、スモール基地局またはＵＥデバイスのうちの少なくとも１つに、リソース割振りと使用関連情報とを通信する（たとえば、出力モジュール３０８を介して送信する）ように、第１の基地局３００を制御するようにさらに構成される。いくつかの実施形態では、プロセッサは、リソース割振りと使用関連情報とを通信するように構成されることの一部として、パイロット信号送信用に割り振られた通信リソースを示す情報を、少なくとも１つのスモール基地局またはＵＥデバイスに通信する（たとえば、出力モジュール３０８を介して送信する）ことと、スモール基地局またはＵＥデバイスのいずれが割り振られた通信リソースを使用してパイロット信号を送信するべきかの決定を示す情報を送信することとを行うように構成される。いくつかの実施形態では、プロセッサ３０２は、割り振られたリソースに関する情報と、スモール基地局またはＵＥデバイスのいずれがパイロット信号を送信するべきかの決定に関する情報とを、単一のメッセージ内で送信するように、出力モジュール３０８、たとえば送信機３２６を制御するように構成され、いくつかの他の実施形態では、プロセッサ３０２は、第１の基地局３００からの分離した個別のメッセージを介してそのような情報を通信するように、送信機を制御するように構成される。
【００５０】
[0061]いくつかの実施形態では、プロセッサ３０２は、たとえば継続的に、そのカバレージエリア内のスモール基地局またはＵＥデバイスの数におけるいかなる変化も検出するように監視することと、デバイスの数における変化が検出されたとき、第１の基地局のカバレージエリア内のスモール基地局の数とユーザ機器（ＵＥ）デバイスの数とを示す情報を更新することとを行うようにさらに構成される。したがって、いくつかの実施形態では、プロセッサ３０２は、第１の基地局３００のカバレージエリア内の新しいスモール基地局の数とアクティブユーザ機器（ＵＥ）デバイスの数とを反映するように、以前記憶された情報を更新する。いくつかの実施形態では、プロセッサ３０２は、第１の基地局のカバレージエリア内のスモール基地局の数またはユーザ機器（ＵＥ）デバイスの数のうちの少なくとも１つにおける変化に応答して、パイロット信号送信用に割り振られたリソースの持続時間または周波数のうちの少なくとも１つを変更するようにさらに構成される。
【００５１】
[0062]様々な実施形態では、プロセッサ３０２は、第１の基地局の動作を制御することと、第１の基地局３００のカバレージエリア内のスモール基地局およびＵＥデバイスの数を示す更新された情報を使用して、継続的に１つまたは複数のステップを実行することとを行うように構成される。たとえば、いくつかの実施形態では、プロセッサ３０２は、第１の基地局のカバレージエリア内の新しいスモール基地局の数とユーザ機器（ＵＥ）デバイスの数とを示す更新された情報を使用して、以下の動作を繰り返すようにさらに構成される：スモール基地局またはＵＥデバイスのいずれがパイロット信号送信用の前記割り振られた通信リソースを使用するべきかを決定すること、およびスモール基地局またはＵＥデバイスのいずれが前記割り振られた通信リソースを使用してパイロット信号を送信するべきかを示す情報を送信すること。様々な実施形態では、第１の基地局３００はマクロ基地局である。様々な実施形態では、スモール基地局はフェムトセルまたはピコセルである。いくつかの実施形態では、スモール基地局のうちの少なくともいくつかは、第１の基地局３００のカバレージエリアの半分よしも小さいカバレージエリアを有する。
【００５２】
[0063]図４は、図３に示された例示的な第１の基地局３００内で使用され得るし、いくつかの実施形態では使用されるモジュールのアセンブリ４００である。アセンブリ４００内のモジュールは、たとえば個別の回路として、図３のプロセッサ３０２内のハードウェアに完全に実装され得るし、いくつかの実施形態では実装される。他の実施形態では、モジュールのうちのいくつかは、たとえば回路として、プロセッサ３０２内に実装され、他のモジュールは、たとえば回路として、プロセッサの外部に実装され、プロセッサに結合される。プロセッサ上のモジュールの集積度および／またはプロセッサの外部にあるいくつかのモジュールとの集積度は、設計上の選択の１つであり得ることを諒解されたい。必ずしもすべてとは限らないが、いくつかの実施形態では、モジュール４０４、４０６、４０８、４１０、４１２、４１４、４１８、４２０、４２８、４３０、および４３２はプロセッサ内に実装され、他のモジュールは、プロセッサ内および／またはプロセッサ３０２の外部に実装される。
【００５３】
[0064]代替として、回路として実装されるのではなく、モジュールのうちの全部または一部は、ソフトウェアに実装され、図３に示された第１の基地局３００のメモリ３０４に記憶される場合があり、それらのモジュールは、モジュールがプロセッサ、たとえばプロセッサ３０２によって実行されたとき、モジュールに対応する機能を実施するように、第１の基地局３００の動作を制御する。いくつかのそのような実施形態では、モジュールのアセンブリ４００は、図３のデバイス３００のメモリ３０４のルーチン３１１に含まれる。さらに他の実施形態では、様々なモジュールは、ハードウェアとソフトウェアの組合せとして、たとえば、プロセッサ３０２に入力を供給し、次いで、プロセッサ３０２がソフトウェアの制御下でモジュールの機能の一部分を実行するように動作する、プロセッサ３０２の外部のセンサまたは別の回路で実装される。
【００５４】
[0065]図３の実施形態では単一のプロセッサ、たとえばコンピュータとして示されているが、プロセッサ３０２は、１つまたは複数のプロセッサ、たとえばコンピュータとして実装される場合があることを諒解されたい。ソフトウェアに実装されたとき、それらのモジュールはコードを含み、そのコードは、プロセッサによって実行されたとき、モジュールに対応する機能を実装するように、プロセッサ、たとえばコンピュータ３０２を構成する。いくつかの実施形態では、プロセッサ３０２は、モジュールのアセンブリ４００のモジュールの各々を実装するように構成される。モジュールのアセンブリ４００がメモリ３０４に記憶される実施形態では、メモリ３０４は、少なくとも１つのコンピュータ、たとえばプロセッサ３０２にモジュールが対応する機能を実施させるためのコード、たとえば、モジュールごとの個別コードを備えるコンピュータ可読媒体、たとえば非一時的コンピュータ可読媒体を備えるコンピュータプログラム製品である。
【００５５】
[0066]完全にハードウェアベースの、または完全にソフトウェアベースのモジュールが使用される場合がある。しかしながら、機能を実装するために、ソフトウェアモジュールとハードウェア（たとえば、回路実装型の）モジュールの任意の組合せが使用される場合があることを諒解されたい。図４に示されたモジュールは、図２のフローチャート２００の方法において図示および／または記載された対応するステップの機能を実行するように、第１の基地局３００、またはプロセッサ３０２などのその中の要素を制御および／または構成することを諒解されたい。
【００５６】
[0067]モジュールのアセンブリ４００は、第１の基地局のカバレージエリア内のスモール基地局の数とユーザ機器（ＵＥ）デバイスの数とを決定するように構成されたモジュール４０４と、複数のスモール基地局またはＵＥデバイスのうちのいずれかによるパイロット送信用の通信リソースを割り振るように構成されたモジュール４０６と、割り振られた通信リソースはパイロット送信専用である、そのカバレージエリア内のスモール基地局またはＵＥデバイスの数におけるいかなる変化も監視および検出するように構成されたモジュール４０８と、信号を送信するために、および／または他の目的で、割り振られた通信リソースを使用することを控えるように、第１の基地局を制御するように構成されたモジュール４１０とを含み、たとえば、モジュール４１０は、任意の他のアップリンク／ダウンリンク通信用に、割り振られたリソースを使用／割当てしないように第１の基地局３００を制御する。したがって、いくつかの実施形態では、モジュール４１０は、割り振られた通信リソース内の（たとえば、ＵＥデバイスによる）データ送信をスケジュールすることを控えるように第１の基地局を制御する。
【００５７】
[0068]様々な実施形態では、モジュールのアセンブリ４００は、カバレージエリア内のスモール基地局またはＵＥデバイスのいずれが、パイロット送信専用の割り振られた通信リソースを使用するべきかを決定するように構成されたモジュール４１２をさらに含む。様々な実施形態では、モジュール４１２は、第１の基地局のカバレージエリア内のスモール基地局の数をＵＥデバイスの数と比較することと、比較に基づいて、どのデバイスがパイロット信号を送信するために選択されるべきか、およびどのデバイスがパイロット信号を受信するべきかに関して決定することとを行うように構成されたモジュール４１４と、第１の基地局３００のカバレージエリア内のＵＥデバイスの数がスモール基地局の数よりも少ないと比較が示すとき、パイロット信号を送信するためにＵＥデバイスを選択するように構成されたモジュール４１８と、第１の基地局のカバレージエリア内のスモール基地局の数がＵＥデバイスの数よりも少ない場合、パイロット信号を送信するためにスモール基地局を選択するように構成されたモジュール４２０とを含む。
【００５８】
[0069]様々な実施形態では、モジュールのアセンブリ４００は、リソース割振りと使用関連情報とを、たとえばスモール基地局またはＵＥデバイスのうちの少なくとも１つに通信するように構成されたモジュール４２２をさらに含む。いくつかの実施形態では、モジュール４２２は、パイロット信号送信用に割り振られた通信リソースを示す情報を、スモール基地局またはＵＥデバイスのうちの少なくとも１つに通信する、たとえば出力モジュール３０８を介して送信するように構成されたモジュール４２４と、スモール基地局またはＵＥデバイスのいずれが割り振られた通信リソースを使用してパイロット信号を送信するべきかの決定を示す情報を、たとえば出力モジュール３０８を介して送信するように構成されたモジュール４２６とを含む。
【００５９】
[0070]いくつかの実施形態では、モジュールのアセンブリ４００は、第１の基地局のカバレージエリア内のデバイスの数における変化が検出されたとき、第１の基地局のカバレージエリア内のスモール基地局の数とユーザ機器（ＵＥ）デバイスの数とを示す情報を更新するように構成されたモジュール４２８と、第１の基地局３００のカバレージエリア内のスモール基地局の数またはユーザ機器（ＵＥ）デバイスの数のうちの少なくとも１つにおける変化に応答して、パイロット信号送信用に割り振られた通信リソースの持続時間または周波数のうちの少なくとも１つを変更するように構成されたモジュール４３０とをさらに含む。
【００６０】
[0071]いくつかの実施形態では、モジュールのアセンブリ４００は、第１の基地局３００のカバレージエリア内のスモール基地局およびＵＥデバイスの新しく更新された数を示す更新された情報を使用してそれらの機能を実行するように、モジュールのアセンブリ４００内の１つまたは複数のモジュールを制御することによって、第１の基地局３００の動作を制御するように構成されたモジュール４３２をさらに含む。たとえば、いくつかの実施形態では、モジュール４３２は、第１の基地局のカバレージエリア内の新しいスモール基地局の数とユーザ機器（ＵＥ）デバイスの数とを示す更新された情報を使用して、スモール基地局またはＵＥデバイスのいずれがパイロット信号送信用の前記割り振られた通信リソースを使用するべきかを決定する決定動作を繰り返すようにモジュール４１２を制御し、スモール基地局またはＵＥデバイスのいずれが前記割り振られた通信リソースを使用してパイロット信号を送信するべきかを示す情報を送信するようにモジュール４２６を制御する。
【００６１】
[0072]図５は、例示的な実施形態による、スモール基地局、たとえばフェムトセルまたはピコセルを動作させる例示的な方法のステップを示すフローチャート５００である。いくつかの実施形態では、フローチャート５００の方法を実施する第１の基地局は、図１に示された基地局１１２、１１４、１１６、．．．、または１２０のうちのいずれか１つである。説明のために、基地局１１２をフローチャート５００の方法を実施するデバイスと考えられたい。
【００６２】
[0073]動作はステップ５０２で始まる。ステップ５０２において、基地局１１２が電源投入され、初期化される。動作は開始ステップ５０２からステップ５０４に進む。ステップ５０４において、基地局は、たとえば基地局１２４などのマクロ基地局から、ユーザ機器（ＵＥ）デバイスにパイロット信号を送信する際、またはユーザ機器（ＵＥ）デバイスからパイロット信号を受信する際の使用専用の通信リソースを示す情報を受信する。いくつかの実施形態では、ステップ５０４は実行されず、パイロット信号を送信する際の使用専用の通信リソースを示す情報は、フローチャート５００の方法を実施する基地局に事前記憶される場合がある。
【００６３】
[0074]動作はステップ５０４からステップ５０５に進む。ステップ５０５において、基地局は、ＵＥデバイスにパイロット信号を送信する際、またはＵＥデバイスからパイロット信号を受信する際の使用専用の通信リソースを決定する。決定は、たとえば、上記で説明されたように、パイロット信号を送信または受信する際の使用専用のリソースを示す、受信された情報または以前に記憶された情報に基づいて行われる。
【００６４】
[0075]動作はステップ５０５からオプションのステップ５０６に進む。ステップ５０６において、基地局は、基地局が専用の通信リソースを使用してパイロット信号を送信するべきか、ＵＥデバイスが専用の通信リソースを使用してパイロット信号を送信するべきかを示す情報を受信する。いくつかの実施形態では、情報は、たとえば、マクロ基地局または中央制御ノードから受信される。いくつかの実施形態では、受信された情報は、基地局またはＵＥデバイスのいずれが専用の通信リソースを使用してパイロット信号を送信するべきかを、基地局に示すモードインジケータを含む。いくつかの実施形態では、モードインジケータは、基地局が専用の通信リソースを使用してパイロット信号を送信するべきモード内で、基地局が動作するべきであることを示す。
【００６５】
[0076]いくつかの実施形態では、基地局またはＵＥデバイスのいずれが専用の通信リソースを使用してパイロット信号を送信するべきかを示す、そのような情報が受信されないとき、基地局は、いくつかの実施形態では事前構成され得るデフォルトモードで動作する。たとえば、いくつかの実施形態では、デフォルトモードにおいて、基地局が専用の通信リソースを使用してパイロット信号を送信するべきである。いくつかの他の実施形態では、デフォルトモードにおいて、ＵＥデバイスが専用の通信リソースを使用してパイロット信号を送信するべきである。いくつかの実施形態では、基地局のデフォルトモードは、たとえば、マクロ基地局および／またはユーザ入力から受信された指示に基づいて変更され得る。
【００６６】
[0077]動作はステップ５０６からステップ５０８に進む。ステップ５０８において、基地局は、たとえば、どのデバイス（たとえば、基地局またはＵＥ）がパイロット信号を送信するべきかを示す受信された情報を使用して、基地局またはＵＥデバイスのいずれが専用の通信リソースを使用してパイロット信号を送信するべきかを決定する。様々な実施形態では、ステップ５０８を実行することの一部として、ステップ５１０、５１２、５１４、５１６、５１８、および５２０のうちの１つまたは複数が実行される。サブステップ５１０において、基地局は、たとえば、マクロ基地局によって送信された、受信されたワイヤレス信号に含まれる受信された情報の一部として、モードインジケータが受信されたかどうかを決定する。モードインジケータが受信されなかったと決定された場合、動作はサブステップ５１４に進む。ステップ５１０において、モードインジケータが受信されたと決定された場合、動作はサブステップ５１２に進み、そこで、受信されたモードインジケータが動作の第１のモードを示すかどうかが決定される。モードインジケータが第１のモードを示さないと決定された場合、動作はサブステップ５１２からサブステップ５１４に進み、そこで、基地局はデフォルトモードに従って動作する。方法を実施する基地局は、デフォルトモードが、基地局がパイロット信号を送信するべきモードか、ＵＥデバイスがパイロット信号を送信するべきモードかを示す情報を記憶する場合があり、いくつかの実施形態では記憶する。マクロ基地局は、デフォルトモードが何に設定されるべきかをスモール基地局またはＵＥデバイスに通知する場合があり、いくつかの実施形態では通知する。そのような実施形態では、受信デバイスは、情報を受信し、マクロ基地局によって指定されたモードにデフォルトモードを設定する。
【００６７】
[0078]動作はサブステップ５１４からサブステップ５１６に進み、そこで、基地局は、基地局が専用の通信リソースを使用してパイロット信号を送信するべきモードにデフォルトモードが設定されたかどうかを決定する。基地局がパイロット信号を送信するべきモードにデフォルトモードが設定されたと決定された場合、動作は接続ノードＢ５２４を経由してステップ５３６および５３８に進み、そうでない場合、動作は接続ノードＡ５２２を経由してステップ５２６に進む。
【００６８】
[0079]再びステップ５１２を参照すると、ステップ５１２において、モードインジケータが第１のモードを示すと決定された場合、動作はサブステップ５１２からサブステップ５１８に進み、そこで、基地局は第１のモードに従って動作する。動作はサブステップ５１８からサブステップ５２０に進み、そこで、基地局は、基地局がパイロット信号を送信するべきモードに第１のモードが設定されたかどうかを決定する。ステップ５２０において、基地局がパイロット信号を送信するべきモードに第１のモードが設定されたと決定された場合、動作は接続ノードＢ５２４を経由してステップ５３６および５３８に進み、そうでない場合、ＵＥデバイスがパイロット信号を送信するべきモードに第１のモードが設定されたと考えられ、動作は接続ノードＡ５２２を経由してステップ５２６に進む。様々な実施形態では、デフォルトモードと第１のモードは異なり、たとえば、パイロット送信用の専用の通信リソースを割り振るマクロ基地局によって、または制御エンティティ、たとえば制御ノード１３０によって設定／制御され得る。いくつかの実施形態では、第１のモードにおいて、ＵＥデバイスが専用の通信リソースを使用してパイロット信号を送信するべきである。
【００６９】
[0080]したがって、基地局またはＵＥデバイスのいずれがパイロット信号を送信するべきかに応じて、動作は、図示された２つの可能な処理経路のうちの１つに沿って進む。
【００７０】
[0081]ノードＡ５２２を経由して続く処理経路を考えられたい。上記で説明されたように、接続ノードＡ５２２にあるこの処理ポイントに到達する前に、ＵＥデバイスがパイロット信号を送信するべきであると決定されている。ステップ５２６において、基地局は、ＵＥデバイスによって送信されるパイロット信号用の、パイロット信号を送信する際の使用専用の通信リソースの監視を開始する。基地局はすでに、（たとえば、ステップ５０８において）ＵＥデバイスが専用のリソースを使用してパイロット信号を送信するべきであると決定しているので、基地局は、基地局がＵＥデバイスによって送信されるパイロット信号を受信するべきであると推論し、したがって、ステップ５２６において、基地局は、専用の通信リソース上のパイロット信号送信に対する監視を開始する。
【００７１】
[0082]動作はステップ５２６からステップ５２８に進む。ステップ５２８において、基地局はＵＥデバイスからパイロット信号を受信する。動作はステップ５２８からステップ５３０に進む。いくつかの実施形態の一態様によれば、ステップ５３０において、基地局は、ＵＥデバイスからの受信パイロット信号の受信信号強度を測定するために測定を実行する。動作はステップ５３０からステップ５３２に進む。ステップ５３２において、基地局は、そこからパイロット信号が受信されたＵＥデバイスに対する信号対ノイズ比（ＳＮＲ）を推定する。動作はステップ５３２からステップ５３４に進む。ステップ５３４において、基地局は、ＵＥデバイスの識別情報とともに、測定されたパイロット信号強度と推定されたＳＮＲとを含む測定報告を生成し、そこからパイロット信号が受信されたＵＥをサービスする基地局、たとえばマクロ基地局１２４に、または制御ノード、たとえば無線ネットワークコントローラのうちの１つに、生成された報告を送る。いくつかの実施形態では、マクロ基地局は制御ノードとして働くことができる。動作は、接続ノードＣ５５２を経由してステップ５３４からステップ５０４に戻る。
【００７２】
[0083]次に、ノードＢ５２４を経由して続く他の処理経路に沿ったステップ５３６と５３８とを参照する。基地局が専用の通信リソースを使用してパイロット信号を送信するべきであるとの決定に続いて、ステップ５３６において、基地局は、未使用のリソースを識別するために、パイロット信号の送信専用の通信リソースを監視する。様々な実施形態では、基地局は、リソース上のエネルギーを検出／測定するためにリソースを監視する。いくつかの実施形態では、エネルギーの最小量または所定のしきい値を下回るエネルギーが検出されたリソースが未使用と考えられる。動作はステップ５３６からステップ５４０に進む。
【００７３】
[0084]次にステップ５３８を参照すると、ステップ５３８において、基地局は、たとえば、１つまたは複数のＵＥデバイスが基地局の近傍に存在するかどうかを決定するために、ＵＥデバイスからの信号に対する監視を開始する。監視中に１つまたは複数のＵＥデバイスからの信号が検出された場合、これは、信号が検出された１つまたは複数のＵＥデバイスが存在し、基地局の近傍にある可能性があることを示す。ＵＥデバイスからのこれらの信号は、それらのセルラー通信、たとえばそれらのサービング基地局へのアップリンク送信、または非セルラー通信、たとえばピアツーピア通信の一部である可能性がある。動作はステップ５３８からステップ５４２および５４６に進む。
【００７４】
[0085]ステップ５４０において、基地局は、パイロット信号を送信する際の使用専用の通信リソースから、１つまたは複数の識別された未使用の通信リソースを選択する。いくつかの実施形態では、基地局は通信リソースを自律的に選択する。いくつかの実施形態では、基地局によって選択される通信リソースは、基地局の識別情報によって決定される。動作はステップ５４０からステップ５４２に進む。ステップ５４２において、基地局は、パイロット信号を送信する際の使用専用の通信リソースに含まれる通信リソース上で、パイロット信号と識別情報とを送信する。様々な実施形態では、ステップ５４２はステップ５４４を含み、その中で、基地局は、専用の通信リソースに含まれる通信リソース上でパイロット信号を送信することの一部として、選択され識別された未使用の通信リソース上でパイロット信号と識別情報とを送信する。いくつかの実施形態では、基地局は所定の電力でパイロット信号を送信する。パイロット信号を送信するために使用されるタイミングは、マクロ基地局１２４から受信された信号から導出される場合がある。いくつかの実施形態では、ステップ５４２は周期的に実行される。動作はステップ５４２からステップ５４６に進む。
【００７５】
[0086]ステップ５４６において、監視動作、たとえばステップ５３８に示された監視中の所定の時間期間の間に、少なくとも１つのＵＥデバイスからの信号が検出されなかったとき、基地局は、パイロット送信専用の通信リソース上でパイロット信号を送信することをやめる。したがって、一特徴によれば、監視動作中の所定の時間の間にＵＥデバイスからの検出される信号の欠如によって示されたように、ＵＥデバイスが近傍にいないと基地局が決定したとき、基地局は、パイロット信号と識別情報とを送信することを停止する。しかしながら、基地局が監視中に１つまたは複数のＵＥからの信号を検出し続けるとき、基地局は、たとえば周期的に、パイロット信号を送信し続けることを諒解されたい。
【００７６】
[0087]たとえば、ステップ５４６において基地局がパイロット信号を送信することをやめたと考えられたい。動作はステップ５４６からオプションのステップであるステップ５４８に進む。ステップ５４８において、基地局はＵＥデバイスから信号を受信する。動作はステップ５４８からステップ５５０に進む。ＵＥデバイスからの信号の検出に続いて、基地局は、たとえばステップ５４２および５４４で詳細に説明されたように、ステップ５５０においてパイロット信号送信動作を再び再開する。動作は接続ノードＣ５５２を経由してステップ５５０からステップ５０４に戻り、動作は時間とともにこのように続く場合がある。
【００７７】
[0088]図６は、様々な実施形態による、例示的な基地局６００、たとえばフェムトセルまたはピコセルなどのスモール基地局の図面である。例示的な基地局６００は、図１に示された基地局１１２、１１４、１１６、．．．、１２０のうちのいずれか１つとして使用され得る。例示的な基地局６００は、パイロット信号送信用に割り振られた通信リソース上でパイロット信号と識別情報とを送信することができ、時々送信する。基地局６００は、フローチャート５００による方法を実施する場合があり、時々実施する。
【００７８】
[0089]基地局６００は、バス６０９を介して互いに結合されたプロセッサ６０２とメモリ６０４とを含み、様々な要素（６０２、６０４）はバス６０９を介してデータと情報とを交換する場合がある。基地局６００は、図示されたように、プロセッサ６０２に結合され得る入力モジュール６０６と出力モジュール６０８とをさらに含む。しかしながら、いくつかの実施形態では、入力モジュール６０６および出力モジュール６０８は、プロセッサ６０２の内部に位置する。入力モジュール６０６は入力信号を受信することができる。入力モジュール６０６は、ワイヤレス通信リンクを介して入力を受信するためのワイヤレス受信機モジュール６２０を含む。入力モジュール６０６は、有線リンクおよび／または光リンクを介して入力を受信するための有線および／または光入力受信機モジュール６２２も含む。出力モジュール６０８は、ワイヤレス通信リンクを介して出力信号を送信するためのワイヤレス送信機モジュール６２６を含む。出力モジュール６０８は、有線リンクおよび／または光リンクを介して出力信号を送信するための有線および／または光出力送信機モジュール６２８も含む。メモリ６０４はルーチン６１１とデータ／情報６１３とを含む。
【００７９】
[0090]基地局６００は、ワイヤレス受信機モジュール６２０に結合されたワイヤレス通信受信アンテナ６２４と、ワイヤレス送信機モジュール６２６に結合されたワイヤレス通信送信アンテナ６３０とをさらに含む。いくつかの実施形態では、入力と出力の両方のワイヤレス通信シグナリングに同じアンテナが使用される。有線および／または光受信機モジュール６２２ならびに有線および／または光送信機モジュール６２８は、リンク６３２を介して他のノードおよび／またはバックホールに結合される。
【００８０】
[0091]様々な実施形態では、プロセッサ６０２は、たとえば、基地局１２４などのマクロ基地局から、ユーザ機器（ＵＥ）デバイスにパイロット信号を送信する際、またはユーザ機器（ＵＥ）デバイスからパイロット信号を受信する際の使用専用の通信リソースを示す情報を受信することと、ＵＥデバイスにパイロット信号を送信する際、またはＵＥデバイスからパイロット信号を受信する際の使用専用の通信リソースを決定することとを行うように構成される。いくつかの実施形態では、プロセッサ６０２は、たとえば、上記で説明されたように、パイロット信号を送信または受信する際の使用専用のリソースを示す、受信された情報または以前に記憶された情報に基づいて、決定を行うように構成される。
【００８１】
[0092]様々な実施形態では、プロセッサ６０２は、基地局が専用の通信リソースを使用してパイロット信号を送信するべきか、ＵＥデバイスが専用の通信リソースを使用してパイロット信号を送信するべきかを示す情報を受信することと、基地局またはＵＥデバイスのいずれが専用の通信リソースを使用してパイロット信号を送信するべきかを決定することとを行うようにさらに構成される。いくつかの実施形態では、受信された情報は、基地局またはＵＥデバイスのいずれが専用の通信リソースを使用してパイロット信号を送信するべきかを、基地局に示すモードインジケータを含む。いくつかの実施形態では、プロセッサ６０２は、基地局またはＵＥデバイスのいずれが専用の通信リソースを使用してパイロット信号を送信するべきかを決定するように構成されることの一部として、モードインジケータが受信されたかどうかを決定することと、示されたモードに従って動作するように基地局を制御することとを行うように構成される。いくつかの実施形態では、基地局またはＵＥデバイスのいずれがパイロット信号および／またはモードインジケータを送信するべきかを示す情報が受信されなかったとき、プロセッサ６０２は、基地局がデフォルトモードで動作するべきであると決定するように構成される。実施形態に応じて、デフォルトモードは、基地局が専用の通信リソースを使用してパイロット信号を送信するか、またはＵＥデバイスが専用の通信リソースを使用してパイロット信号を送信するかのいずれかであるモードに設定される場合がある。
【００８２】
[0093]様々な実施形態では、ＵＥデバイスが専用の通信リソースを使用してパイロット信号を送信するべきであると決定されたとき、様々な実施形態では、プロセッサ６０２は、ＵＥデバイスによって送信されるパイロット信号用の、パイロット信号を送信する際の使用専用の通信リソースを監視することと、ＵＥデバイスからパイロット信号を受信するように基地局６００を制御することと、ＵＥデバイスからの受信パイロット信号の受信信号強度を測定するために測定を実行することと、そこからパイロット信号が受信されたＵＥデバイスに対する信号対ノイズ比（ＳＮＲ）を推定することと、ＵＥデバイスの識別情報とともに、パイロット信号強度とＳＮＲ推定値とを、そこからパイロット信号が受信されたＵＥをサービスする基地局、または制御ノード、たとえば無線ネットワークコントローラのうちの１つに報告するように基地局６００を制御することとを行うようにさらに構成される。報告するように構成されることの一部として、プロセッサ６０２は、パイロット信号強度と、ＳＮＲ推定値と、ＵＥデバイスの識別情報とを含む報告を生成することと、そこからパイロット信号が受信されたＵＥをサービスする基地局、または制御ノード、たとえば無線ネットワークコントローラのうちの１つに生成された報告を送ることとを行うように構成される。
【００８３】
[0094]様々な実施形態では、基地局が専用のリソースを使用してパイロット信号を送信するべきであると決定されたとき、プロセッサ６０２は、ＵＥデバイスからの信号を監視することと、未使用のリソースを識別するためにパイロット信号の送信専用の通信リソースを監視することと、パイロット信号を送信する際の使用専用の通信リソースから、１つまたは複数の識別された未使用の通信リソースを選択することと、パイロット信号を送信する際の使用専用の通信リソースに含まれる通信リソース上で、パイロット信号と識別情報とを送信するように基地局６００を制御することとを行うようにさらに構成される。いくつかの実施形態では、プロセッサ６０２は、未使用の専用リソースを識別するために通信リソース上のエネルギーを測定するように構成される。いくつかの実施形態では、プロセッサ６０２は、エネルギーの最小量または所定のしきい値を下回るエネルギーが検出された通信リソースを、未使用の通信リソースとして識別するようにさらに構成される。様々な実施形態では、プロセッサ６０２は、専用の通信リソースに含まれる通信リソース上でのパイロット信号の送信を制御するように構成されることの一部として、選択され識別された未使用の通信リソース上でパイロット信号と識別情報とを送信するように、基地局６００を制御するようにさらに構成される。いくつかの実施形態では、プロセッサは、選択され識別された通信リソース上でのパイロット信号の送信を周期的に制御するように、基地局６００を制御するように構成される。
【００８４】
[0095]いくつかの実施形態では、プロセッサ６０２は、監視動作中の所定の時間期間の間に少なくとも１つのＵＥデバイスからの信号が検出されなかったとき、パイロット信号を送信することをやめるように、基地局６００を制御するようにさらに構成される。いくつかの実施形態では、プロセッサ６０２は、ＵＥデバイスから信号を受信し、ＵＥデバイスからの信号の検出に続いて、パイロット信号送信動作を再開するように基地局６００を制御するようにさらに構成される。したがって、プロセッサ６０２は、監視中に１つまたは複数のＵＥから信号が検出されたとき、たとえば周期的に、パイロット信号の送信を再開および継続するように構成される。
【００８５】
[0096]図７は、図６に示された例示的な基地局６００で使用され得るし、いくつかの実施形態では使用されるモジュールのアセンブリ７００である。アセンブリ７００内のモジュールは、たとえば個別の回路として、図６のプロセッサ６０２内のハードウェアに実装され得る。アセンブリ７００内のモジュールは、たとえば個別の回路として、プロセッサ６０２内のハードウェアに完全に実装され得るし、いくつかの実施形態では実装される。他の実施形態では、モジュールのうちのいくつかは、たとえば回路として、プロセッサ６０２内に実装され、他のモジュールは、たとえば回路として、プロセッサの外部に実装され、プロセッサに結合される。プロセッサ上のモジュールの集積度および／またはプロセッサの外部にあるいくつかのモジュールとの集積度は、設計上の選択の１つであり得ることを諒解されたい。必ずしもすべてとは限らないが、いくつかの実施形態では、下記に記載されるモジュールのうちのいくつか、たとえばモジュール７０５、７０８、７２６、７３６、７３８、７３０、７３２、７４０、７４６、７４８、および７５０はプロセッサ６０２内に実装され、他のモジュール、たとえばモジュール７０４、７０６、７３４、７４２などは、プロセッサ内および／またはプロセッサの外部に実装される。
【００８６】
[0097]代替として、回路として実装されるのではなく、モジュールのうちの全部または一部は、ソフトウェアに実装され、図６に示された基地局６００のメモリ６０４に記憶され、それらのモジュールは、モジュールがプロセッサ、たとえばプロセッサ６０２によって実行されたとき、モジュールに対応する機能を実施するように、スモール基地局６００の動作を制御する。いくつかのそのような実施形態では、モジュールのアセンブリ７００は、図６の基地局６００のメモリ６０４のルーチン６１１に含まれる。さらに他の実施形態では、様々なモジュールは、ハードウェアとソフトウェアの組合せとして、たとえば、プロセッサ６０２に入力を供給し、次いで、プロセッサ６０２かソフトウェアの制御下でモジュールの機能の一部分を実行するように動作する、プロセッサの外部の別の回路で実装される。
【００８７】
[0098]図６の実施形態では単一のプロセッサ、たとえばコンピュータとして示されているが、プロセッサ６０２は、１つまたは複数のプロセッサ、たとえばコンピュータとして実装される場合があることを諒解されたい。ソフトウェアに実装されたとき、それらのモジュールはコードを含み、そのコードは、プロセッサによって実行されたとき、モジュールに対応する機能を実装するように、プロセッサ、たとえばコンピュータ６０２を構成する。いくつかの実施形態では、プロセッサ６０２は、モジュールのアセンブリ７００のモジュールの各々を実装するように構成される。モジュールのアセンブリ７００がメモリ６０４に記憶される実施形態では、メモリ６０４は、少なくとも１つのコンピュータ、たとえばプロセッサ６０２にモジュールが対応する機能を実施させるためのコード、たとえば、モジュールごとの個別コードを備えるコンピュータ可読媒体、たとえば非一時的コンピュータ可読媒体を備えるコンピュータプログラム製品である。
【００８８】
[0099]完全にハードウェアベースの、または完全にソフトウェアベースのモジュールが使用される場合がある。しかしながら、機能を実装するために、ソフトウェアモジュールとハードウェア（たとえば、回路実装型の）モジュールの任意の組合せが使用される場合があることを諒解されたい。図７に示されたモジュールは、図５のフローチャート５００の方法において図示および／または記載された対応するステップの機能を実行するように、基地局６００、またはプロセッサ６０２などのその中の要素を制御および／または構成することを諒解されたい。
【００８９】
[00100]モジュールのアセンブリ７００は、たとえばマクロ基地局から、ユーザ機器（ＵＥ）デバイスにパイロット信号を送信する際、またはユーザ機器（ＵＥ）デバイスからパイロット信号を受信する際の使用専用の通信リソースを示す情報を受信するように構成されたモジュール７０４と、たとえば、パイロット信号を送信または受信する際の使用専用のリソースを示す、受信された情報または以前に記憶された情報に基づいて、ＵＥデバイスにパイロット信号を送信する際、またはＵＥデバイスからパイロット信号を受信する際の使用専用の通信リソースを決定するように構成されたモジュール７０５と、基地局が専用の通信リソースを使用してパイロット信号を送信するべきか、ＵＥデバイスが専用の通信リソースを使用してパイロット信号を送信するべきかを示す情報を受信するように構成されたモジュール７０６と、たとえば、受信された情報に基づいて、基地局またはＵＥデバイスのいずれが専用の通信リソースを使用してパイロット信号を送信するべきかを決定するように構成されたモジュール７０８とを含む。様々な実施形態では、決定モジュール７０８は、フローチャート５００の対応するステップ５０８で説明された機能を実行／実施するように構成される。したがって、様々な実施形態では、モジュール７０８は、基地局またはＵＥデバイスのいずれが専用の通信リソースを使用してパイロット信号を送信するべきかを示すモードインジケータが受信されたかどうかを決定することと、ステップ９１０および／またはその中のサブステップで説明された１つまたは複数の他の決定を実行することとを行うように構成される。いくつかの実施形態では、モードインジケータが受信されなかったとき、決定モジュール７０８は、基地局６００がデフォルトモードで動作するべきであると決定するように構成される。いくつかの実施形態では、デフォルトモードにおいて、基地局６００は、基地局が専用の通信リソースを使用してパイロット信号を送信するべきであると考える。いくつかの他の実施形態では、デフォルトモードにおいて、基地局６００は、ＵＥデバイスが専用の通信を使用してパイロット信号を送信するべきであると考える。
【００９０】
[0100]様々な実施形態では、モジュールのアセンブリ７００は、ＵＥデバイスによって送信されるパイロット信号用の、パイロット信号を送信する際の使用専用の通信リソースの監視するように構成されたモジュール７２６と、未使用のリソースを識別するためにパイロット信号の送信専用の通信リソースを監視するように構成されたモジュール７３６と、ＵＥデバイスからの信号を監視するように構成されたモジュール７３８とをさらに含む。いくつかの実施形態では、モジュールのアセンブリ７００は、たとえばＵＥデバイスから、パイロット信号を受信するように構成されたモジュール７２８と、受信パイロット信号の受信信号強度を測定するために測定を実行するように構成されたモジュール７３０と、そこからパイロット信号が受信されたＵＥデバイスに対する信号対ノイズ比（ＳＮＲ）を推定するように構成されたモジュール７３２と、デバイス識別情報とともに、測定されたパイロット信号強度と推定されたＳＮＲとを、そこからパイロット信号が受信されたＵＥをサービスする基地局、または制御ノード、たとえば無線ネットワークコントローラのうちの１つに報告するように構成されたモジュール７３４とをさらに含む。いくつかの実施形態では、報告用のモジュール７３４は、測定されたパイロット信号強度と、推定されたＳＮＲと、ＵＥデバイスの識別情報とを含む報告を生成するように構成されたモジュール７５２と、そこからパイロット信号が受信されたＵＥをサービスする基地局、または制御ノード、たとえば無線ネットワークコントローラのうちの１つに生成された報告を送る、たとえば送信するように構成されたモジュール７５４とを含む。
【００９１】
[0101]様々な実施形態では、モジュールのアセンブリ７００は、パイロット信号を送信する際の使用専用の通信リソースから、１つまたは複数の識別された未使用の通信リソースを選択するように構成されたモジュール７４０と、基地局が専用のリソースを使用してパイロット信号を送信するべきであると決定されたとき、パイロット信号を送信する際の使用専用の通信リソースに含まれる通信リソース上で、パイロット信号と識別情報とを送信するように構成されたモジュール７４２とをさらに含む。いくつかの実施形態では、モジュール７４２は、専用の通信リソースに含まれる通信リソース上でのパイロット信号の送信を制御することの一部として、選択され識別された未使用の通信リソース上でパイロット信号と識別情報とを送信するように構成されたモジュール７４４を含む。いくつかの実施形態では、モジュール７４０は、未使用の専用リソースを識別するためにパイロット送信専用の通信リソース上のエネルギーを測定するように構成される。いくつかの実施形態では、モジュール７４０は、エネルギーの最小量または所定のしきい値を下回るエネルギーが検出された通信リソースを、未使用の通信リソースとして識別する。いくつかの実施形態では、モジュール７４２は、選択され識別されたリソース上で周期的にパイロット信号を送信するように構成される。
【００９２】
[0102]いくつかの実施形態では、モジュールのアセンブリ７００は、監視動作中の所定の時間期間の間に少なくとも１つのＵＥデバイスからの信号が検出されなかったとき、パイロット信号を送信することをやめるように、基地局６００を制御するように構成されたモジュール７４６をさらに含む。いくつかの実施形態では、モジュールのアセンブリ７００は、ＵＥデバイスからの信号を検出／受信するように構成されたモジュール７４８と、ＵＥデバイスからの信号の検出に続いてパイロット信号送信動作を再開するように、基地局６００を制御するように構成されたモジュール７５０とをさらに含む。
【００９３】
[0103]点線ボックスに示されたモジュールはオプションであり、したがって、これらのモジュールのうちの１つまたは複数は、いくつかの実施形態では存在し、他の実施形態では存在しない場合がある。点線ボックスは、これらのモジュールが、様々な実施形態では、モジュールのアセンブリ７００に含まれるが、これらのモジュールがそれに対応するステップが実行される実施形態では、プロセッサ６０２がそのようなオプションのモジュールを実行する場合があることを示す。いくつかの実施形態では、別のモジュール内に含まれる図７に示された１つまたは複数のモジュールは、１つまたは複数の独立モジュールとして実装される場合がある。
【００９４】
[0104]図８は、例示的な実施形態による、たとえば、パイロット信号を受信し、測定を実行するスモール基地局またはＵＥデバイスから通信される、例示的な測定報告８００を示す。いくつかの実施形態では、測定報告８００は、パイロット信号送信専用の通信リソース上で、１つまたは複数のＵＥデバイスからパイロット信号を受信する基地局、たとえばフェムトセルまたはピコセルによって生成される。いくつかの実施形態では、測定報告８００は、パイロット信号送信専用の通信リソース上で送信された、１つまたは複数のスモール基地局からのパイロット信号を受信するＵＥデバイスによって生成される。
【００９５】
[0105]図示されたように、例示的な測定報告８００は、メッセージタイプＩＤフィールド８０２と、ソースＩＤフィールド８０４と、宛先デバイスＩＤフィールド８０６と、デバイス識別情報フィールド８０８と、信号対ノイズ比（ＳＮＲ）情報フィールド８１０と、測定された受信パイロット信号強度フィールド８１２とを含む、複数の情報フィールドを含む。
【００９６】
[0106]メッセージタイプＩＤフィールド８０２は、測定報告メッセージ８００が関係するメッセージのタイプを識別する識別子を含み、たとえば、フィールド８０２内の情報は、測定報告メッセージ８００内の情報がパイロット信号送信に関係することを識別する。ソースＩＤ８０４は、測定を実行し測定報告メッセージ８００を送信するデバイスに対応する識別子、たとえば、測定を実行しメッセージ８００を送信するスモール基地局またはＵＥデバイスのＩＤを含む。
【００９７】
[0107]宛先デバイスＩＤフィールド８０６は、測定報告メッセージ８００が送られる宛先デバイスに対応する識別子を含む。いくつかの実施形態の一態様によれば、測定報告は、スモール基地局により、そこからパイロット信号が受信されたＵＥデバイスをサービスする基地局に、または無線ネットワークコントローラ（ＲＮＣ）などの中央制御ノードに送られる場合がある。いくつかの実施形態の一態様によれば、測定報告は、ＵＥデバイスにより、そこからパイロット信号が受信されたスモール基地局に、または無線ネットワークコントローラ（ＲＮＣ）などの中央制御ノードに、またはマクロ基地局に送られる場合がある。したがって、情報フィールド８０６は、基地局および／またはＲＮＣに対応する識別子を含む場合がある。
【００９８】
[0108]情報フィールド８０８は、信号測定が実行されたパイロット信号を送信したデバイス、たとえば、ＵＥデバイスまたはスモール基地局、フェムト基地局に対応する識別情報を含む。ＳＮＲ情報フィールド８１０は、そこからパイロット信号が受信されたデバイスに対する推定されたＳＮＲを含む。信号強度情報フィールド８１２は、測定報告メッセージ８００を送信するデバイスによって測定された、受信パイロット信号の測定された受信信号強度を含む。
【００９９】
[0109]図９は、例示的な実施形態による、ユーザ機器（ＵＥ）デバイスを動作させる例示的な方法のステップを示すフローチャート９００である。いくつかの実施形態では、フローチャート９００の方法を実施するＵＥデバイスは、図１に示されたアクティブＵＥのうちのいずれか１つである。説明のために、ＵＥ１  １０２がフローチャート９００の方法を実施すると考えられたい。
【０１００】
[0110]動作はステップ９０２で始まる。ステップ９０２において、ＵＥ１  １０２が電源投入され、初期化される。いくつかの実施形態では、フローチャート９００は、ＵＥがアクティブ状態であるときのみ、すなわちＵＥが基地局と通信しているときのみ、ＵＥによって実施される。動作は開始ステップ９０２からステップ９０４に進む。ステップ９０４において、たとえばワイヤレス信号内で、たとえば基地局１２４などのマクロ基地局から、基地局にパイロット信号を送信する際、または基地局からパイロット信号を受信する際の使用専用の通信リソースを示す情報を受信する。いくつかの実施形態では、ステップ９０４は実行されない場合があり、基地局にパイロット信号を送信する際、または基地局からパイロット信号を受信する際の使用専用の通信リソースを示す情報は、フローチャート９００の方法を実施するＵＥデバイスに事前記憶される場合がある。
【０１０１】
[0111]動作はステップ９０４からステップ９０６に進む。ステップ９０６において、ＵＥデバイスは、基地局にパイロット信号を送信する際、または基地局からパイロット信号の受信する際の使用専用の通信リソースを決定する。決定は、たとえば、上記で説明されたように、パイロット信号を送信または受信する際の使用専用のリソースを示す、受信された情報または以前に記憶された情報に基づいて行われる。
【０１０２】
[0112]動作はステップ９０６からステップ９０８に進む。ステップ９０８において、ＵＥデバイスは、基地局が専用の通信リソースを使用してパイロット信号を送信するべきか、ＵＥデバイスが専用の通信リソースを使用してパイロット信号を送信するべきかを示す情報を受信する。いくつかの実施形態では、情報は、たとえば、マクロ基地局または中央制御ノードから受信される。いくつかの実施形態では、ステップ９０８において受信された情報は、基地局またはＵＥデバイスのいずれが専用の通信リソースを使用してパイロット信号を送信するべきかをＵＥデバイス１  １０２に示すモードインジケータを含む。いくつかの実施形態では、モードインジケータは、基地局が専用の通信リソースを使用してパイロット信号を送信するべきモード内で、ＵＥデバイス１  １０２が動作するべきであることを示す。ステップ９０８は、それがオプションであるように点線ボックスで示され、したがって、いくつかの実施形態では、ステップ９０８は実行されず、基地局またはＵＥデバイスのいずれが専用の通信リソースを使用してパイロット信号を送信するべきかを示す情報が受信されない。そのような実施形態では、ＵＥデバイス１  １０２は、いくつかの実施形態では事前構成され得るデフォルトモードで動作する。たとえば、いくつかの実施形態では、デフォルトモードにおいて、基地局が専用の通信リソースを使用してパイロット信号を送信するべきである。
【０１０３】
[0113]動作はステップ９０８からステップ９１０に進む。ステップ９１０において、ＵＥデバイスは、たとえば、どのデバイス（たとえば、基地局またはＵＥ）がパイロット信号を送信するべきかを示す受信された情報に基づいて、ＵＥデバイスが専用の通信リソースを使用してパイロット信号を送信するべきか、基地局が専用の通信リソースを使用してパイロット信号を送信するべきかを決定する。
【０１０４】
[0114]様々な実施形態では、決定ステップ９１０の一部として、ステップ９１２、９１４、９１６、９１８、９２０、および９２２のうちの１つまたは複数が実行される。サブステップ９１２において、ＵＥデバイスは、たとえば受信された情報の一部として、モードインジケータが受信されたかどうかを決定する。モードインジケータが受信されなかったと決定された場合、動作はサブステップ９１６に進む。ステップ９１２において、モードインジケータが受信されたと決定された場合、動作はサブステップ９１４に進み、そこで、受信されたモードインジケータが動作の第１のモードを示すかどうかが決定される。サブステップ９１４において、モードインジケータが第１のモードを示さないと決定された場合、動作はサブステップ９１４からサブステップ９１６に進み、そこで、ＵＥデバイス１  １０２はデフォルトモードに従って動作する。動作はサブステップ９１６からサブステップ９１８に進み、そこで、ＵＥデバイスは、基地局が専用の通信リソースを使用してパイロット信号を送信するべきモードにデフォルトモードが設定されたかどうかを決定する。基地局がパイロット信号を送信するべきモードにデフォルトモードが設定されたと決定された場合、動作は接続ノードＤ９２４を経由してステップ９２８に進み、そうでない場合、動作は接続ノードＥ９２６を経由してステップ９３８および９４０に進む。
【０１０５】
[0115]再びステップ９１４を参照すると、ステップ９１４において、受信されたモードインジケータが第１のモードを示すと決定された場合、動作はサブステップ９１４からサブステップ９２０に進み、そこで、ＵＥデバイスは第１のモードに従って動作する。動作はサブステップ９２０からサブステップ９２２に進み、そこで、ＵＥデバイスは、基地局がパイロット信号を送信するべきモードに第１のモードが設定されたかどうかを決定する。ステップ９２２において、基地局がパイロット信号を送信するべきモードに第１のモードが設定されたと決定された場合、動作は接続ノードＤ９２４を経由してステップ９２２からステップ９２８に進み、そうでない場合、ＵＥデバイスがパイロット信号を送信するべきモードに第１のモードが設定されたと考えられ、動作は接続ノードＥ９２６を経由してステップ９３８および９４０に進む。様々な実施形態では、デフォルトモードと第１のモードは異なり、たとえば、パイロット送信用の専用の通信リソースを割り振るマクロ基地局によって、または制御エンティティ、たとえば制御ノード１３０によって設定／制御され得る。
【０１０６】
[0116]したがって、基地局またはＵＥデバイスのいずれがパイロット信号を送信するべきかに応じて、動作は、図示された２つの可能な処理経路のうちの１つに沿って進む。
【０１０７】
[0117]ノードＤ９２４を経由して続く処理経路を考えられたい。上記で説明されたように、接続ノードＤ９２４にあるこの処理ポイントに到達する前に、基地局がパイロット信号を送信するべきであると決定されている。ステップ９２８において、ＵＥデバイスは、基地局、たとえばフェムトセルまたはピコセルによって送信されるパイロット信号用の、パイロット信号を送信する際の使用専用の通信リソースを監視する。したがって、ステップ９２８において、ＵＥデバイスは、専用の通信リソース上の基地局からのパイロット信号送信に対する監視を開始する。
【０１０８】
[0118]動作はステップ９２８からステップ９３０に進む。ステップ９３０において、ＵＥデバイスは、基地局、たとえばフェムトセルまたはピコセルからパイロット信号を受信する。様々な実施形態では、送信されるパイロット信号は、少なくとも１つのパイロットと、送信デバイスに対応する識別情報、たとえば送信する基地局またはＵＥデバイスのＩＤとを含む。動作はステップ９３０からステップ９３２に進む。いくつかの実施形態の一態様によれば、ステップ９３２において、ＵＥデバイスは、基地局から受信されたパイロット信号の受信パイロット信号強度を測定するために測定を実行する。動作はステップ９３２からステップ９３４に進む。ステップ９３４において、ＵＥデバイスは、そこからパイロット信号が受信された基地局に対する信号対ノイズ比（ＳＮＲ）を推定する。動作はステップ９３４からステップ９３６に進む。ステップ９３６において、ＵＥデバイスは、そこからパイロット信号が受信された基地局の識別情報とともに、測定された受信パイロット信号強度と推定されたＳＮＲとを含む測定報告を生成し、測定を実行するＵＥデバイスをサービスする基地局、または制御ノード、たとえば無線ネットワークコントローラのうちの１つに、生成された報告を送る。いくつかの実施形態では、パイロット送信専用のリソースを割り振ったマクロ基地局１２４は、制御ノードとして働く場合がある。動作は、接続ノードＦ９６０を経由してステップ９３６からステップ９０４に戻る。
【０１０９】
[0119]次に、ステップ９３８と９４０が、ノードＥ９２６を経由して続く他の処理経路を望むに対して参照する。ステップ９３８において、ＵＥデバイスは、１つまたは複数のスモール基地局が存在するかどうかを決定するために、基地局、たとえばフェムトセルまたはピコセルからの信号を監視する。ＵＥデバイスは、スモール基地局からの発見信号、パイロット、ダウンリンクデータ送信、および／または、ＰＳＳ（１次同期信号）もしくはＳＳＳ（２次同期信号）などの同期信号を監視する。ＵＥデバイスは、スモール基地局によって送信される非セルラー信号、たとえばピアツーピア通信信号を監視する場合がある。監視中に１つまたは複数のスモール基地局からの信号が検出された場合、これは、信号が検出された１つまたは複数のスモール基地局が、たとえばＵＥデバイスの近傍に存在することを示す。動作はステップ９３８からステップ９４４および９９４８に進む。
【０１１０】
[0120]ステップ９４０において、ＵＥデバイスが専用の通信リソースを使用してパイロット信号を送信するべきであるとの決定に続いて、ＵＥデバイスは、未使用のリソースを識別するために、パイロット信号の送信専用の通信リソースを監視する。様々な実施形態では、ＵＥデバイスは、リソース上のエネルギーを検出／測定するためにリソースを監視する。いくつかの実施形態では、エネルギーの最小量または所定のしきい値を下回るエネルギーが検出されたリソースが未使用と考えられる。動作はステップ９４０からステップ９４２に進む。
【０１１１】
[0121]ステップ９４２において、ＵＥデバイスは、パイロット信号を送信する際の使用専用の通信リソースから、１つまたは複数の識別された未使用の通信リソースを選択する。いくつかの実施形態では、ＵＥデバイスは、自律的に未使用の通信リソースを選択する。いくつかの実施形態では、ＵＥデバイスによって選択されるリソースは、ＵＥデバイスの識別情報および／またはＵＥデバイスをサービスする基地局の識別情報に依存する場合がある。動作はステップ９４２からステップ９４４に進む。ステップ９４４において、ＵＥデバイスは、パイロット信号を送信する際の使用専用の通信リソースに含まれる通信リソース上で、パイロット信号と識別情報とを送信する。様々な実施形態では、ステップ９４４はステップ９４６を含み、そこで、ＵＥデバイスは、専用の通信リソースに含まれる通信リソース上でパイロット信号を送信することの一部として、選択され識別された未使用の通信リソース上でパイロット信号と識別情報とを送信する。いくつかの実施形態では、識別情報は、ＵＥデバイスの識別情報および／またはＵＥデバイスをサービスする基地局の識別情報を含む場合がある。ＵＥデバイスは、スモール基地局によってサービスされているときの時間期間中に、マクロ基地局によって割り振られた専用のリソース内で送信する場合があることに留意されたい。そのような実施形態では、パイロット信号を送信するためにＵＥデバイスによって使用されるタイミングは、ＵＥデバイスがマクロ基地局から受信する信号から導出される場合がある。ＵＥデバイスは、サービング基地局との通信用に他のタイミングを使用する場合がある。いくつかの実施形態では、ステップ９２６において、ＵＥデバイスは所定の電力でパイロット信号を送信する。いくつかの実施形態では、ステップ９４４は周期的に実行される。様々な実施形態では、送信されるパイロット信号は、少なくとも１つのパイロットと、送信するＵＥデバイスに対応する識別情報とを含む。動作はステップ９４４からステップ９４８に進む。
【０１１２】
[0122]ステップ９４８において、監視動作、たとえばステップ９３８に示された監視中の所定の時間期間の間に、少なくとも１つの基地局、たとえばスモール基地局からの信号を検出するのに失敗したとき、ＵＥデバイスは、専用のリソース上でパイロット信号を送信することをやめる。したがって、一特徴によれば、いくつかの実施形態では、監視動作中の所定の時間の間に少なくとも１つのスモール基地局から検出される信号の欠如によって示されたように、スモール基地局が、たとえば近傍にいないとＵＥデバイスが決定したとき、ＵＥデバイスはパイロット信号と識別情報とを送信することを停止する。しかしながら、監視中に１つまたは複数のスモール基地局からの信号が検出されるとき、ＵＥデバイスは、たとえば周期的に、パイロット信号を送信し続けることを諒解されたい。
【０１１３】
[0123]たとえば、ステップ９４８においてＵＥデバイスがパイロット信号を送信することをやめたと考えられたい。動作はステップ９４８からオプションのステップであるステップ９５０に進む。ステップ９５０において、ＵＥデバイスはスモール基地局からの信号を検出／受信する。動作はステップ９５０からステップ９５２に進む。スモール基地局からの信号の検出に続いて、ＵＥデバイスは、たとえばステップ９４４および９４６で詳細に説明されたように、ステップ９５２におけるパイロット信号送信動作を再び再開する。動作は接続ノードＦ９６０を経由してステップ９５２からステップ９０４に戻り、動作は時間とともにこのように続く場合がある。
【０１１４】
[0124]図１０は、様々な実施形態による、例示的なユーザ機器（ＵＥ）デバイス１０００、たとえばモバイルワイヤレス端末の図面である。例示的なＵＥデバイス１０００は、図１に示されたＵＥデバイス１０２、１０４、．．．、１１０のうちのいずれか１つとして使用され得る。例示的なＵＥデバイス１０００は、パイロット信号送信用に割り振られた通信リソース上でパイロット信号と識別情報とを送信することができ、時々送信する。ＵＥデバイス１０００は、フローチャート９００による方法を実施する場合があり、時々実施する。
【０１１５】
[0125]ＵＥデバイス１０００は、バス１００９を介して互いに結合されたプロセッサ１００２とメモリ１００４とを含み、様々な要素（１００２、１００４）はバス１００９を介してデータと情報とを交換する場合がある。ＵＥデバイス１０００は、図示されたようにプロセッサ１００２に結合され得る入力モジュール１００６と出力モジュール１００８とをさらに含む。しかしながら、いくつかの実施形態では、入力モジュール１００６および出力モジュール１００８は、プロセッサ１００２の内部に位置する。入力モジュール１００６は入力信号を受信することができる。入力モジュール１００６は、ワイヤレス通信リンクを介して入力を受信するためのワイヤレス受信機モジュール１０２０を含む。入力モジュール１００６は、有線リンクおよび／または光リンクを介して入力を受信するための有線および／または光入力受信機モジュール１０２２も含む。出力モジュール１００８は、ワイヤレス通信リンクを介して出力信号を送信するためのワイヤレス送信機モジュール１０２６を含む。出力モジュール１００８は、有線リンクおよび／または光リンクを介して出力信号を送信するための有線および／または光出力送信機モジュール１０２８も含む。メモリ１００４はルーチン１０１１とデータ／情報１０１３とを含む。
【０１１６】
[0126]ＵＥデバイス１０００は、ワイヤレス受信機モジュール１０２０に結合されたワイヤレス通信受信アンテナ１０２４と、ワイヤレス送信機モジュール１０２６に結合されたワイヤレス通信送信アンテナ１０３０とをさらに含む。いくつかの実施形態では、入力と出力の両方のワイヤレス通信シグナリングに同じアンテナが使用される。
【０１１７】
[0127]様々な実施形態では、プロセッサ１００２は、たとえば、基地局１２４などのマクロ基地局から、基地局にパイロット信号を送信する際、または基地局からパイロット信号を受信する際の使用専用の通信リソースを示す情報を受信するようにＵＥデバイス１０００を制御することと、基地局にパイロット信号を送信する際、または基地局からパイロット信号を受信する際の使用専用の通信リソースを決定することとを行うように構成される。いくつかの実施形態では、情報はワイヤレス信号内で受信される。いくつかの実施形態では、プロセッサ１００２は、パイロット信号を送信または受信する際の使用専用のリソースを示す、受信された情報または以前に記憶された情報に基づいて、決定を行うように構成される。
【０１１８】
[0128]様々な実施形態では、プロセッサ１００２は、基地局が専用の通信リソースを使用してパイロット信号を送信するべきか、ＵＥデバイスが専用の通信リソースを使用してパイロット信号を送信するべきかを示す情報を受信するようにＵＥデバイスを制御することと、ＵＥデバイスが専用の通信リソースを使用してパイロット信号を送信するべきか、基地局が専用の通信リソースを使用してパイロット信号を送信するべきかを決定することとを行うようにさらに構成される。いくつかの実施形態では、情報は、たとえば、マクロ基地局または中央制御ノードから受信される。いくつかの実施形態では、受信された情報は、基地局またはＵＥデバイスのいずれが専用の通信リソースを使用してパイロット信号を送信するべきかを示すモードインジケータを含む。いくつかの実施形態では、プロセッサ１００２は、基地局またはＵＥデバイスのいずれがパイロット信号を送信するべきかを決定するように構成されることの一部として、モードインジケータが受信されたかどうかを決定することと、示されたモードに従って動作するように基地局を制御することとを行うように構成される。いくつかの実施形態では、基地局またはＵＥデバイスのいずれがパイロット信号および／またはモードインジケータを送信するべきかを示す情報が受信されなかったとき、プロセッサ１００２は、ＵＥデバイスがデフォルトモードで動作するべきであると決定するように構成される。実施形態に応じて、デフォルトモードは、基地局が専用の通信リソースを使用してパイロット信号を送信するか、またはＵＥデバイスが専用の通信リソースを使用してパイロット信号を送信するかのいずれかであるモードに設定される場合がある。
【０１１９】
[0129]様々な実施形態では、基地局が専用のリソースを使用してパイロット信号を送信するべきであると決定された場合、プロセッサ１００２は、基地局によって送信されるパイロット信号用の、パイロット信号を送信する際の使用専用の通信リソースを監視することと、（たとえば、入力モジュール１００６を介して）基地局からパイロット信号を受信するようにＵＥデバイスを制御することと、基地局から受信されたパイロット信号の受信信号強度を測定するために測定を実行することと、そこからパイロット信号が受信された基地局に対する信号対ノイズ比（ＳＮＲ）の推定値を生成することと、そこからパイロット信号が受信された基地局の識別情報とともに、測定されたパイロット信号強度と推定されたＳＮＲとを生成することとを行うようにさらに構成される。様々な実施形態では、プロセッサ１００２は、ＵＥをサービスする基地局、または制御ノード、たとえば無線ネットワークコントローラのうちの１つに、生成された報告を送る、たとえば出力モジュール１００８を介して送信するように、ＵＥデバイスを制御するようにさらに構成される。
【０１２０】
[0130]様々な実施形態では、ＵＥデバイスが専用のリソースを使用してパイロット信号を送信するべきであると決定されたとき、プロセッサ１００２は、基地局、たとえばフェムトセルまたはピコセルからの信号を監視することと、未使用のリソースを識別するためにパイロット信号の送信専用の通信リソースを監視することと、パイロット信号を送信する際の使用専用の通信リソースから、１つまたは複数の識別された未使用の通信リソースを選択することと、パイロット信号を送信する際の使用専用の通信リソースに含まれる通信リソース上で、パイロット信号と識別情報とを送信するようにＵＥデバイスを制御することとを行うようにさらに構成される。様々な実施形態では、プロセッサ１００２は、専用の通信リソースに含まれる通信リソース上でのパイロット信号の送信を制御するように構成されることの一部として、選択され識別された未使用の通信リソース上でパイロット信号と識別情報とを送信するように、ＵＥデバイスを制御するように構成される。いくつかの実施形態では、プロセッサ１００２は、周期的にパイロット信号を送信するように、ＵＥデバイスを制御するように構成される。
【０１２１】
[0131]いくつかの実施形態では、プロセッサ１００２は、未使用の通信リソースを識別するように構成されることの一部として、通信リソース上のエネルギーを測定することと、エネルギーの最小量または所定のしきい値を下回るエネルギーが検出された通信リソースを、未使用の通信リソースとして識別することとを行うように構成される。様々な実施形態では、送信されるパイロット信号は、少なくとも１つのパイロットと、送信するＵＥデバイスに対応する識別情報とを含む。
【０１２２】
[0132]いくつかの実施形態では、プロセッサ１００２は、監視動作中の所定の時間期間の間に少なくとも１つのスモール基地局からの信号が検出されなかったとき、パイロット信号を送信することをやめるように、ＵＥデバイスを制御するように構成される。いくつかの実施形態では、プロセッサ１００２は、スモール基地局からの信号が検出されたとき、パイロット信号送信を再開するようにさらに構成される。したがって、いくつかの実施形態では、プロセッサ１００２は、スモール基地局からの信号を検出／受信することと、パイロット信号の送信を再開することとを行うように構成される。
【０１２３】
[0133]図１１は、図１０に示された例示的なＵＥデバイス１０００で使用され得るし、いくつかの実施形態では使用されるモジュールのアセンブリ１１００である。アセンブリ１１００内のモジュールは、たとえば個別の回路として、図１０のプロセッサ１００２内のハードウェアに実装され得る。アセンブリ１１００内のモジュールは、たとえば個別の回路として、プロセッサ１００２内のハードウェアに完全に実装され得るし、いくつかの実施形態では実装される。他の実施形態では、モジュールのうちのいくつかは、たとえば回路として、プロセッサ１００２内に実装され、他のモジュールは、たとえば回路として、プロセッサの外部に実装され、プロセッサに結合される。プロセッサ上のモジュールの集積度および／またはプロセッサの外部にあるいくつかのモジュールとの集積度は、設計上の選択の１つであり得ることを諒解されたい。必ずしもすべてとは限らないが、いくつかの実施形態では、下記に記載されるモジュールのうちのいくつか、たとえばモジュール１１０６、１１１０、１１２８、１１３８、１１４０、１１３２、および１１３４はプロセッサ１００２内に実装され、他のモジュール、たとえばモジュール１１０４、１１０８、１１４４などは、プロセッサ内および／またはプロセッサ１００２の外部に実装される。
【０１２４】
[0134]代替として、回路として実装されるのではなく、モジュールのうちの全部または一部は、ソフトウェアに実装され、図１０に示されたＵＥデバイス１０００のメモリ１００４に記憶される場合があり、それらのモジュールは、モジュールがプロセッサ、たとえばプロセッサ１００２によって実行されたとき、モジュールに対応する機能を実施するように、ＵＥデバイス１０００の動作を制御する。いくつかのそのような実施形態では、モジュールのアセンブリ１１００は、図１０のＵＥデバイス１０００のメモリ１００４のルーチン１０１１に含まれる。さらに他の実施形態では、様々なモジュールは、ハードウェアとソフトウェアの組合せとして、たとえば、プロセッサ１００２に入力を供給し、次いで、プロセッサ１００２がソフトウェアの制御下でモジュールの機能の一部分を実行するように動作する、プロセッサの外部の別の回路で実装される。
【０１２５】
[0135]図１０の実施形態では単一のプロセッサ、たとえばコンピュータとして示されているが、プロセッサ１００２は、１つまたは複数のプロセッサ、たとえばコンピュータとして実装される場合があることを諒解されたい。ソフトウェアに実装されたとき、それらのモジュールはコードを含み、そのコードは、プロセッサによって実行されたとき、モジュールに対応する機能を実装するように、プロセッサ、たとえばコンピュータ１００２を構成する。いくつかの実施形態では、プロセッサ１００２は、モジュールのアセンブリ１１００のモジュールの各々を実装するように構成される。モジュールのアセンブリ１１００がメモリ１００４に記憶される実施形態では、メモリ１００４は、少なくとも１つのコンピュータ、たとえばプロセッサ１００２にモジュールが対応する機能を実施させるためのコード、たとえば、モジュールごとの個別コードを備えるコンピュータ可読媒体、たとえば非一時的コンピュータ可読媒体を備えるコンピュータプログラム製品である。
【０１２６】
[0136]完全にハードウェアベースの、または完全にソフトウェアベースのモジュールが使用される場合がある。しかしながら、機能を実装するために、ソフトウェアモジュールとハードウェア（たとえば、回路実装型の）モジュールの任意の組合せが使用される場合があることを諒解されたい。図１１に示されたモジュールは、図９のフローチャート９００の方法に図示および／または記載された対応するステップの機能を実行するように、ＵＥデバイス１０００、またはプロセッサ１００２などのその中の要素を制御および／または構成することを諒解されたい。
【０１２７】
[0137]モジュールのアセンブリ１１００は、基地局、たとえばスモール基地局にパイロット信号を送信する際、または基地局からパイロット信号を受信する際の使用専用の通信リソースを示す情報を受信するように構成されたモジュール１１０４と、たとえば、パイロット信号を送信または受信する際の使用専用のリソースを示す、受信された情報または以前に記憶された情報に基づいて、基地局にパイロット信号を送信する際、または基地局からパイロット信号を受信する際の使用専用の通信リソースを決定するように構成されたモジュール１１０６と、基地局が専用の通信リソースを使用してパイロット信号を送信するべきか、ＵＥデバイスが専用の通信リソースを使用してパイロット信号を送信するべきかを示す情報を受信するように構成されたモジュール１１０８と、基地局またはＵＥデバイスのいずれが専用の通信リソースを使用してパイロット信号を送信するべきかを決定するように構成されたモジュール１１１０とを含む。いくつかの実施形態では、決定モジュール１１１０は、基地局またはＵＥデバイスのいずれが専用の通信リソースを使用してパイロット信号を送信するべきかを示す受信された情報に基づいて、決定を実行する。様々な実施形態では、決定モジュール１１１０は、フローチャート９００の対応するステップ９１０で説明された機能を実行／実施するように構成される。したがって、様々な実施形態では、モジュール１１１０は、基地局またはＵＥデバイスのいずれが専用の通信リソースを使用してパイロット信号を送信するべきかを示すモードインジケータが受信されたかどうかを決定することと、ステップ９１０および／またはその中のサブステップで説明された１つまたは複数の他の決定を実行することとを行うように構成される。いくつかの実施形態では、モードインジケータが受信されなかったとき、決定モジュール１１１０は、ＵＥデバイス１０００がデフォルトモードで動作するべきであると決定するように構成される。
【０１２８】
[0138]様々な実施形態では、モジュールのアセンブリ１１００は、基地局によって送信されるパイロット信号用の、パイロット信号を送信する際の使用専用の通信リソースの監視するように構成されたモジュール１１２８と、基地局からの信号を監視するように構成されたモジュール１１３８と、未使用のリソースを識別するためにパイロット信号の送信専用の通信リソースを監視するように構成されたモジュール１１４０とをさらに含む。
【０１２９】
[0139]いくつかの実施形態では、モジュールのアセンブリ１１００は、少なくとも１つの基地局、たとえばフェムトセルまたはピコセルからパイロット信号を受信するように構成されたモジュール１１３０と、受信されたパイロット信号の受信信号強度を測定するために測定を実行するように構成されたモジュール１１３２と、そこからパイロット信号が受信された基地局に対する信号対ノイズ比（ＳＮＲ）を推定するように構成されたモジュール１１３４と、そこからパイロット信号が受信された基地局の識別情報とともに、測定されたパイロット信号強度と推定されたＳＮＲとを、基地局、または制御ノード、たとえば無線ネットワークコントローラのうちの１つに報告するように構成されたモジュール１１３６とをさらに含む。いくつかの実施形態では、報告用のモジュール１１３６は、測定されたパイロット信号強度と、推定されたＳＮＲと、基地局の識別情報とを含む報告を生成するように構成されたモジュール１１５４と、ＵＥをサービスする基地局、または制御ノード、たとえば無線ネットワークコントローラのうちの１つに、生成された報告を送信するように構成されたモジュール１１５６とを含む。
【０１３０】
[0140]様々な実施形態では、モジュールのアセンブリ１１００は、パイロット信号を送信する際の使用専用の通信リソースから、パイロット信号の送信用の１つまたは複数の識別された未使用の通信リソースを選択するように構成されたモジュール１１４２と、ＵＥデバイスが専用のリソースを使用してパイロット信号を送信するべきであると決定されたとき、パイロット信号を送信する際の使用専用の通信リソースに含まれる通信リソース上で、パイロット信号と識別情報とを送信するように構成されたモジュール１１４４とをさらに含む。いくつかの実施形態では、モジュール１１４２は、未使用の専用リソースを識別するためにパイロット送信専用の通信リソース上のエネルギーを測定するように構成される。いくつかの実施形態では、モジュール１１４２は、エネルギーの最小量または所定のしきい値を下回るエネルギーが検出された通信リソースを、未使用の通信リソースとして識別する。いくつかの実施形態では、モジュール１１４４は、専用の通信リソースに含まれる通信リソース上でパイロット信号を送信するようにＵＥデバイスを制御することの一部として、選択され識別された未使用の通信リソース上でパイロット信号と識別情報とを、たとえば出力モジュール１００８を介して送信するように、ＵＥデバイスを制御するように構成されたモジュール１１４６を含む。
【０１３１】
[0141]いくつかの実施形態では、モジュールのアセンブリ１１００は、監視動作中の所定の時間期間の間に少なくとも１つのスモール基地局からの信号が検出されなかったとき、パイロット信号を送信することをやめるように、ＵＥデバイスを制御するように構成されたモジュール１１４８をさらに含む。いくつかの実施形態では、モジュールのアセンブリ１１００は、スモール基地局からの信号を検出／受信するように構成されたモジュール１１５０と、スモール基地局、たとえばフェムトセルまたはピコセルのうちの１つからの信号の検出に続いてパイロット信号送信動作を再開するように、ＵＥデバイスを制御するように構成されたモジュール１１５２とをさらに含む。
【０１３２】
[0142]点線ボックスに示されたモジュールはオプションであり、したがって、これらのモジュールのうちの１つまたは複数は、いくつかの実施形態では存在し、他の実施形態では存在しない場合がある。点線ボックスは、これらのモジュールが、様々な実施形態では、モジュールのアセンブリ１１００に含まれるが、これらのモジュールがそれに対応するステップが実行される実施形態では、プロセッサ１００２がそのようなオプションのモジュールを実行する場合があることを示す。いくつかの実施形態では、別のモジュール内に含まれる図１１に示された１つまたは複数のモジュールは、１つまたは複数の独立モジュールとして実装される場合がある。
【０１３３】
[0143]様々な特徴が広範囲のシステムおよび／または方法で使用される場合がある。
【０１３４】
一態様によれば、いくつかの実施形態による例示的な方法は、以下の特徴および／またはステップのうちの１つ、複数、またはすべてを含む。
【０１３５】
[0144]少なくとも１つの実施形態では、マクロセル１２４（たとえば、ｅノードＢ別名ｅＮＢ）は、ハンドオーバ関連の信号測定を容易にすることを目的とするパイロット送信に使用されるべき、周期的な時間と（本明細書では時々ハンドオーバリソースと呼ばれる）通信リソースのグループを構成する、たとえば割り振る。マクロセル１２４は、その中で（スモールセルとも呼ばれる）スモール基地局がマクロセル１２４のカバレージエリア内に展開される、もう１つ、またはすべての搬送波、たとえば周波数の中で、それらの使用目的のためのリソースを構成する、たとえば割り振る。リソースおよび周期性は、搬送波、および／またはリソースが割り振られているエリア内に存在するスモールセルもしくはＵＥデバイス１０２、１０６、１１０の数で異なる可能性があり、いくつかの実施形態では異なる。
【０１３６】
[0145]次いで、マクロ基地局１２４は、マクロ基地局のカバレージエリア内のスモールセル１１２、１１６またはアクティブＵＥ１０２、１０６、１１０のいずれかを、ハンドオーバリソース上で、たとえばパイロット信号と関連情報とを送信するように構成する。いくつかの実施形態では、スモールセルまたはアクティブＵＥのいずれが送信するべきかの選択は、アクティブＵＥおよびスモールセルがマクロセルのカバレージエリア１６１内にあるマクロセル１２４内のスモールセルの密度およびアクティブＵＥの密度に基づく。いくつかの実施形態では、ＵＥの数がスモールセルの数よりも小さい場合、マクロ基地局１２４は、ハンドオーバリソースを使用してパイロット信号を送信するように、アクティブＵＥ１０２、１０６、１１０を構成する。この状態では、スモールセル１１２、１１６は、ハンドオーバリソースを使用してアクティブＵＥによって送信される信号を受信するように構成される。ＵＥ１０２、１０６、１１０がパイロット信号を送信しているという事実から諒解されるように、この通信はアップリンク通信として記載される場合がある。代替として、アクティブＵＥ１０２、１０６、１１０の数がスモールセル１１２、１１６の数よりも大きい場合、マクロ基地局１２４は、ハンドオーバリソース内でパイロット信号を送信するように、スモールセル１１２、１１６を構成する。スモールセル１１２、１１６および／またはＵＥ１０２、１０６、１１０の構成は、ＵＥ１０２、１０６、１１０および／またはスモールセル１１２、１１６に構成情報を、送信、たとえばブロードキャスト、またはさもなければ通信するマクロ基地局１２４によって実行され得る。
【０１３７】
[0146]スモール基地局１１２、１１６がパイロットを送信するように構成されるとき、アクティブＵＥ１０２、１０６、１１０は、ハンドオーバリソースを使用して、スモールセル１１２、１１６によって送信される信号を受信するように構成される。この構成は、１つまたは複数のスモール基地局１１２、１１６によって実行される送信を伴うので、ダウンリンク通信として記載される場合がある。
【０１３８】
[0147]いくつかの実施形態では、スモール基地局１１２、１１６またはＵＥ１０２、１０６、１１０のいずれが、マクロ基地局１２４によって割り振られたリソース上でパイロット信号を送信するべきかの構成は、時間的および空間的に動的に変化する可能性がある。たとえば、第１のマクロ基地局１２４は、第１のマクロ基地局１２４に関連付けられたスモールセルを送信機として構成することができ、たとえば、別のマクロセル１７１内の、第１のマクロ基地局１２４の近傍に位置する第２のマクロ基地局は、隣接セル１６１内のＵＥ１０２、１０６、１１０がパイロット信号の受信機であるように構成されると同時に、第２のマクロ基地局に関連付けられたＵＥ１０２、１０６、１１０をパイロット信号の送信機として構成することができる。さらに、第１のマクロ基地局１２４は、最初に、第１のマクロ基地局１２４に関連付けられたスモールセルを、ハンドオーバリソースを使用して送信するように構成し、第１のマクロ基地局１２４に関連付けられたＵＥを、ハンドオーバリソースを使用して受信するように構成し、後で、たとえばいくらか後の時点で、第１のマクロ基地局１２４は、そのセル１６１内のＵＥ１０２、１０６、１１０を、ハンドオーバリソースを使用して送信するように構成し、スモールセル１１２、１１６を、ハンドオーバリソースを使用して、たとえば送信されたパイロット信号と対応する識別情報とを受信するように構成する。一実施形態では、マクロ基地局１２４は、たとえば第１のマクロ基地局１２４のカバレージエリア内の、第１のマクロ基地局１２４に関連付けられたスモールセルの数、および、たとえば第１のマクロ基地局１２４のカバレージエリア１６１内の、第１のマクロ基地局１２４に関連付けられたアクティブＵＥ１０２、１０６、１１０の数に基づいて、スモール基地局１１２、１１６またはＵＥ１０２、１０６、１１０のいずれがパイロット信号を送信するべきかの構成を変更する。
【０１３９】
[0148]いくつかの実施形態では、スモールセル１１２、１１６またはＵＥ１０２、１０６、１１０による使用専用のハンドオーバリソースがアップリンク通信用に割り振られたとき、ＵＥ１０２、１０６、１１０は、ハンドオーバリソースを介して、たとえばパイロット信号を送信し、スモールセル１１２、１１６は、ハンドオーバリソースを介して受信する。少なくともいくつかのそのような実施形態では、ハンドオーバリソースがアップリンク上で専用化されたとき、スモールセル１１２、１１６はパイロットを送信せず、パイロット送信リソースは、ダウンリンク上のパイロットの送信用に、スモールセル１１２、１１６に対して利用可能にされない。
【０１４０】
[0149]少なくともいくつかの実施形態では、ハンドオーバリソースがダウンリンク上で割り振られたとき、スモールセル１１２、１１６は、ハンドオーバリソースを介して、たとえばパイロットを送信し、ＵＥ１０２、１０６、１１０は、ハンドオーバリソースを介して受信するが、パイロットを送信しない。いくつかの実施形態では、ハンドオーバリソースは、スモールセル１１２、１１６が送信する周波数帯域（ダウンリンク帯域）内で割り振られ、いくつかの他の実施形態では、ハンドオーバリソースは、ＵＥ１０２、１０６、１１０が送信する周波数帯域（アップリンク帯域）内で割り振られる。
【０１４１】
[0150]様々な実施形態では、構成された送信機、たとえばＵＥ１０２、１１０またはスモール基地局１１２、１２０は、自律的にハンドオーバリソースのうちの１つを選択し、選択されたリソース内で周期的に広帯域信号を送信する。パイロットを送信するデバイスは、送信デバイスの識別情報を示す情報とともに、たとえば所定の電力レベルで広帯域パイロット信号を送信する。広帯域パイロットは、たとえば、単一または複数のシンボル送信時間期間の間に、複数の様々なトーンの各々の上で送信された信号を含む場合がある。いくつかの実施形態では、ＵＥ１０６、１１０がパイロットを送信するべきである場合、Ｓ−ＴＭＳＩが識別子として使用され、スモールセル１１２、１２０がパイロットを送信するべきである場合、セルＩＤが識別子として使用される。送信機、たとえば送信デバイスは、ハンドオーバリソースのうちの１つまたは複数の測定を行うことができ、いくつかの実施形態では行い、測定に基づいて、そのパイロット信号送信用に使用するために、受信したエネルギーが最も少ないリソースを選ぶ。このようにして、それらのパイロットと対応する識別情報とを送信するために、利用可能なパイロット信号送信リソースから、デバイス、たとえばＵＥ１０２、１１０またはスモールセル１１２、１２０がランダムに選択する場合と比較して、衝突のリスクが低減または最小化され得る。
【０１４２】
[0151]様々な実施形態では、マクロセル１６１とともに送信するデバイス、たとえばＵＥ１０２、１１０またはスモールセル１１２、１２０は、共通ソースから導出されたタイミングを使用する。たとえば、マクロ基地局１２４から受信されるダウンリンクのタイミング、またはマクロ基地局１２４に送信するために使用されるアップリンクのタイミング。
【０１４３】
[0152]すべてではないがいくつかの実施形態では、送信デバイスによって使用されているハンドオーバリソースと同じハンドオーバリソースを共有する場合がある他のパイロット送信に対する不必要な干渉を回避するために、送信デバイスは、送信デバイスの近く、たとえば通信レンジ内にあると知られている受信機が存在するときのみ、そのハンドオーバリソース上で送信する。たとえば、いくつかの実施形態では、送信機がスモールセル１１２、１１６である場合、スモールセル１１２、１１６は、信号を受信すること、および、それらがＵＥ固有の信号、たとえば復号され得るし、アクティブＵＥの存在に関係するか、またはアクティブＵＥの存在を示すことができる信号であることを決定するために信号を確認することによって、近くのアクティブＵＥ１０２、１０６、１１０を監視する。ＵＥの存在を検出するために監視される信号は、いくつかの実施形態では、たとえば、アクティブＵＥ１０２、１０６、１１０によって送信され、ＵＥ１０２、１０６、１１０の存在下でスモール基地局１１２、１１６によって検出され得る、ＳＲＳ、ＰＲＡＣＨ、ＰＵＣＣＨなどの固有の信号を含む。
【０１４４】
[0153]すべてではないがいくつかの実施形態では、パイロット信号の送信機がアクティブＵＥ１０２、１０６、１１０である場合、アクティブＵＥ１０２、１０６、１１０は、スモールセル１１２、１１６からの信号を監視し、検出するように試みることによって、スモールセル１１２、１１６が近くにあることを決定する。スモールセルからのそのような信号が検出されたとき、ＵＥ１０２、１０６、１０はパイロットを送信するが、スモールセル１１２、１１６が検出されないときは送信しない。ＵＥ１０２、１０６、１１０は、スモールセル１１２、１１６から送信された発見信号を復号することによって、スモールセルの存在を検出する場合がある。スモールセルの存在を決定するために検出および復号され得るし、時々検出および復号される信号は、たとえば、ＰＳＳ／ＳＳＳまたはＬＴＥＤのような発見信号を含む。
【０１４５】
[0154]様々な実施形態では、パイロットを受信するために監視するデバイス、たとえば、実装されている構成に応じて、スモールセル１１２、１１６またはアクティブＵＥ１０６、１１０のいずれかは、ハンドオーバリソースを使用して送信されたパイロット信号を測定し、ハンドオーバ測定値（たとえば、ＲＳＳＩ）を、マクロ基地局１２４、または、アクティブＵＥ１０６、１１０がソースマクロ基地局１２４以外の制御ノード１３０などの集中型エンティティに報告する。いくつかの実施形態では、制御ノード１３０は、ハンドオーバ決定に対する制御を有する無線ネットワークコントローラである。
【０１４６】
[0155]実施形態に応じて、マクロ基地局１２４または集中型エンティティ１３０は、報告されたハンドオーバ測定値に基づいてハンドオーバ決定を行う。決定を行う集中型エンティティ１３０は、（基地局が意思決定ノードではないとき）対応するマクロ基地局１２４に決定を通信する。ハンドオーバ情報も、バックホールネットワークを介してハンドオーバが行われている、マクロ基地局１２４またはスモール基地局１１２、１１６に通信される。ハンドオーバ決定が関係する対応するＵＥは、ハンドオーバ時にサービング基地局１２４、１１２、または１１６によって送信されるダウンリンク信号を介して、ハンドオーバが発生するべきときを通知される。ハンドオーバ決定を行うエンティティ、たとえば、マクロ基地局１２４または集中型エンティティ１３０は、ＲＳＳＩ測定値だけでなく、新しいスモールセルをオンにすることによって他のスモールセル１１２、１１６に対して引き起こされる干渉、スモールセルのバックホール容量、スモールセルによってサポートされ、ＵＥによって要求されるサービス品質（ＱｏＳ）のタイプなどの、１つまたは複数の他の要因にも、その決定を基づかせる。
【０１４７】
[0156]様々な実施形態の技法は、ソフトウェア、ハードウェア、および／またはソフトウェアとハードウェアの組合せを使用して実装される場合がある。様々な実施形態は、装置、たとえばモバイルワイヤレス端末などのモバイルノード、基地局、通信システムを対象とする。様々な実施形態はまた、方法、たとえば、通信デバイス、たとえばワイヤレス端末（ＵＥ）、基地局、制御ノード、および／または通信システムを制御する、および／または動作させる方法を対象とする。様々な実施形態はまた、方法の１つまたは複数のステップを実施するように機械を制御するための機械可読命令を含む、非一時的機械、たとえばコンピュータ、可読媒体、たとえばＲＯＭ、ＲＡＭ、ＣＤ、ハードディスクなどを対象とする。
【０１４８】
[0157]開示されたプロセスにおけるステップの固有の順序または階層は、例示的な手法の一例であることを理解されたい。設計の選好に基づいて、プロセス内のステップの固有の順序または階層は、本開示の範囲内に留まりながら再構成され得ることを理解されたい。添付の方法クレームは、様々なステップの要素を例示的な順序で提示するものであり、提示された固有の順序または階層に限定されることを意味しない。
【０１４９】
[0158]様々な実施形態では、本明細書に記載されたデバイスおよびノードは、１つまたは複数の方法に対応するステップ、たとえば、信号生成、送信、処理、および／または受信のステップを実行するために、１つまたは複数のモジュールを使用して実装される。したがって、いくつかの実施形態では、様々な特徴はモジュールを使用して実装される。そのようなモジュールは、ソフトウェア、ハードウェア、またはソフトウェアとハードウェアの組合せを使用して実装される場合がある。上述された方法または方法ステップの多くは、たとえば、１つまたは複数のノードにおいて、上述された方法の全部または一部を実施するために、追加のハードウェアを用いて、または用いずに、機械、たとえば汎用コンピュータを制御する、メモリデバイス、たとえばＲＡＭ、フロッピー（登録商標）ディスクなどの機械可読媒体に含まれる、ソフトウェアなどの機械実行可能命令を使用して実施され得る。したがって、特に、様々な実施形態は、機械、たとえば、プロセッサおよび関連するハードウェアに、上述された方法のステップのうちの１つまたは複数を実行させるための機械実行可能命令を含む機械可読媒体、たとえば非一時的コンピュータ可読媒体を対象とする。いくつかの実施形態は、本発明の１つまたは複数の方法のステップのうちの１つ、複数、またはすべてを実施するように構成されたプロセッサを含むデバイスを対象とする。
【０１５０】
[0159]いくつかの実施形態では、１つもしくは複数のデバイス、たとえばワイヤレス端末（ＵＥ）などの通信デバイス、および／またはアクセスノードの１つまたは複数のプロセッサ、たとえばＣＰＵは、デバイスによって実行されるものとして、記載された方法のステップを実行するように構成される。プロセッサの構成は、１つまたは複数のモジュール、たとえばソフトウェアモジュールを使用してプロセッサ構成を制御することによって、ならびに／またはハードウェア、たとえばハードウェアモジュールをプロセッサに含めて、列挙されたステップを実行し、および／もしくはプロセッサ構成を制御することによって、実現される場合がある。したがって、すべてではないがいくつかの実施形態は、プロセッサが含まれるデバイスによって実行される様々な記載された方法のステップの各々に対応するモジュールを含むプロセッサを有する通信デバイス、たとえばユーザ機器を対象とする。すべてではないがいくつかの実施形態では、通信デバイスは、プロセッサが含まれるデバイスによって実行される様々な記載された方法のステップの各々に対応するモジュールを含む。それらのモジュールは、単にハードウェア内で、たとえば回路として実装される場合があるか、あるいは、ソフトウェアおよび／もしくはハードウェア、またはソフトウェアとハードウェアの組合せを使用して実装される場合がある。モジュールが回路として実装される実施形態では、装置は、各個別のモジュールに対応する機能を実行するための分離した個別の回路を含む場合があり、いくつかの実施形態では含む。したがって、場合によっては、各個別のモジュールは個別の回路として実装される。
【０１５１】
[0160]いくつかの実施形態は、１つのコンピュータまたは複数のコンピュータに、様々な機能、ステップ、行為、および／または動作、たとえば上述された１つまたは複数のステップを実施させるためのコードを備えるコンピュータ可読媒体を備えるコンピュータプログラム製品を対象とする。実施形態に応じて、コンピュータプログラム製品は、実行されるべきステップごとに異なるコードを含むことができ、時々含む。したがって、コンピュータプログラム製品は、方法、たとえば、通信デバイス、たとえばワイヤレス端末またはノードを動作させる方法の個別のステップごとのコードを含む場合があり、時々含む。コードは、ＲＡＭ（ランダムアクセスメモリ）、ＲＯＭ（読取り専用メモリ）、または他のタイプのストレージデバイスなどのコンピュータ可読媒体上に記憶された機械実行可能命令、たとえばコンピュータ実行可能命令の形態であり得る。コンピュータプログラム製品を対象とすることに加えて、いくつかの実施形態は、上述された１つまたは複数の方法の様々な機能、ステップ、行為、および／または動作のうちの１つまたは複数を実施するように構成されたプロセッサを対象とする。したがって、いくつかの実施形態は、本明細書に記載された方法のステップの一部または全部を実施するように構成されたプロセッサ、たとえばＣＰＵを対象とする。プロセッサは、たとえば、通信デバイスまたは本出願に記載された他のデバイスで使用するためのものであり得る。
【０１５２】
[0161]ＯＦＤＭシステムのコンテキストで記載されたが、様々な実施形態の方法および装置のうちの少なくともいくつかは、多くの非ＯＦＤＭシステムおよび／または非セルラーシステムを含む広範囲の通信システムに適用可能である。
【０１５３】
[0162]上述された様々な実施形態の方法および装置に関する多数の追加の変形形態は、上記の説明に鑑みて当業者には明らかであろう。そのような変形形態は範囲内であると考えられるべきである。本方法および本装置は、ＣＤＭＡ、直交周波数分割多重（ＯＦＤＭ）、および／またはアクセスノードとモバイルノードとの間のワイヤレス通信リンクを実現するために使用され得る様々な他のタイプの通信技法とともに使用される場合があり、様々な実施形態では使用される。いくつかの実施形態では、アクセスノードは、ＯＦＤＭおよび／またはＣＤＭＡを使用して、ユーザ機器デバイス、たとえばモバイルノードとの通信リンクを確立する基地局として実装される。様々な実施形態では、モバイルノードは、本方法を実施するための、受信機／送信機回路ならびに論理および／またはルーチンを含む、ノートブックコンピュータ、携帯情報端末（ＰＤＡ）、または他のポータブルデバイスとして実装される。
以下に、本願出願の当初の特許請求の範囲に記載された発明を付記する。
［Ｃ１］
スモール基地局が位置するカバレージエリアを有するセルに対応する第１の基地局を動作させる方法であって、
複数のスモール基地局またはＵＥデバイスのうちのいずれかによるパイロット信号送信用の通信リソースを割り振ることと、前記割り振られた通信リソースはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースを使用するべきかを決定することと、
パイロット信号送信用に割り振られた前記通信リソースを示す情報を、前記スモール基地局または前記ＵＥデバイスのうちの少なくとも１つに通信することと
を備える、方法。
［Ｃ２］
信号を送信するために前記割り振られた通信リソースを使用することを控えるように、前記第１の基地局を制御すること
をさらに備える、Ｃ１に記載の方法。
［Ｃ３］
前記第１の基地局に対応する前記カバレージエリア内のスモール基地局の数のうちの１つにおける変化またはＵＥデバイスの数における変化に応答して、前記スモール基地局またはＵＥデバイスによるパイロット信号送信用に割り振られた通信リソースの持続時間または周波数のうちの少なくとも１つを変更すること
をさらに備える、Ｃ１に記載の方法。
［Ｃ４］
前記スモール基地局または前記ＵＥデバイスのいずれが前記割り振られた送信リソースを使用してパイロット信号を送信するべきかを示す情報を送信すること
をさらに備える、Ｃ１に記載の方法。
［Ｃ５］
前記スモール基地局または前記ＵＥデバイスのいずれがパイロット信号送信用の前記割り振られた通信リソースを使用するべきかを決定することが、
前記第１の基地局の前記カバレージエリア内のスモール基地局の前記数を前記第１の基地局の前記カバレージエリア内のＵＥデバイスの前記数と比較することと、
ＵＥデバイスの前記数がスモール基地局の前記数よりも小さいことを前記比較が示すとき、パイロット信号を送信するために前記ＵＥデバイスを選択することと、
ＵＥデバイスの前記数がスモール基地局の前記数よりも小さくないことを前記比較が示すとき、パイロット信号を送信するために前記スモール基地局を選択することと含む、Ｃ１に記載の方法。
［Ｃ６］
前記第１の基地局の前記カバレージエリア内のＵＥデバイスの新しい数または前記第１の基地局の前記カバレージエリア内のスモール基地局の新しい数を示す更新された情報を使用して、
前記スモール基地局または前記ＵＥデバイスのいずれがパイロット信号送信用の前記割り振られた通信リソースを使用するべきかを決定することと、
前記スモール基地局または前記ＵＥデバイスのいずれが前記割り振られた通信リソースを使用してパイロット信号を送信するべきかを示す情報を送信すること
の前記ステップを繰り返すこと
をさらに備える、Ｃ４に記載の方法。
［Ｃ７］
スモール基地局が位置するカバレージエリアを有するセルに対応する第１の基地局であって、
複数のスモール基地局またはＵＥデバイスのうちのいずれかによるパイロット信号送信用の通信リソースを割り振るための手段と、前記割り振られた通信リソースはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースを使用するべきかを決定するための手段と、
パイロット信号送信用に割り振られた前記通信リソースを示す情報を、前記スモール基地局または前記ＵＥデバイスのうちの少なくとも１つに通信するための手段とを備える、第１の基地局。
［Ｃ８］
信号を送信するために前記割り振られた通信リソースを使用することを控えるように、前記第１の基地局を制御するための手段
をさらに備える、Ｃ７に記載の第１の基地局。
［Ｃ９］
前記第１の基地局に対応する前記カバレージエリア内のスモール基地局の数のうちの１つにおける変化またはＵＥデバイスの数における変化に応答して、前記スモール基地局またはＵＥデバイスによるパイロット信号送信用に割り振られた通信リソースの持続時間または周波数のうちの少なくとも１つを変更するための手段
をさらに備える、Ｃ７に記載の第１の基地局。
［Ｃ１０］
通信するための前記手段が、前記スモール基地局または前記ＵＥデバイスのいずれが前記割り振られた通信リソースを使用してパイロット信号を送信するべきかを示す情報を送信するための手段を含む、Ｃ７に記載の第１の基地局。
［Ｃ１１］
前記スモール基地局または前記ＵＥデバイスのいずれがパイロット信号送信用の前記割り振られた通信リソースを使用するべきかを決定するための前記手段が、
前記第１の基地局の前記カバレージエリア内のスモール基地局の前記数を前記第１の基地局の前記カバレージエリア内のＵＥデバイスの前記数と比較するための手段と、
ＵＥデバイスの前記数がスモール基地局の前記数よりも小さいことを前記比較が示すとき、パイロット信号を送信するために前記ＵＥデバイスを選択するための手段と、
ＵＥデバイスの前記数がスモール基地局の前記数よりも小さくないことを前記比較が示すとき、パイロット信号を送信するために前記スモール基地局を選択するための手段と含む、Ｃ７に記載の第１の基地局。
［Ｃ１２］
スモール基地局が位置するカバレージエリアを有するセルに対応する第１の基地局であって、
複数のスモール基地局またはＵＥデバイスのうちのいずれかによるパイロット信号送信用の通信リソースを割り振ることと、前記割り振られた通信リソースはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースを使用するべきかを決定することと、
パイロット信号送信用に割り振られた前記通信リソースを示す情報を、前記スモール基地局または前記ＵＥデバイスのうちの少なくとも１つに通信することと
を行うように構成された、少なくとも１つのプロセッサと、
前記少なくとも１つのプロセッサに結合されたメモリと
を備える、第１の基地局。
［Ｃ１３］
前記少なくとも１つのプロセッサが、
前記第１の基地局に対応する前記カバレージエリア内のスモール基地局の数のうちの１つにおける変化またはＵＥデバイスの数における変化に応答して、前記スモール基地局またはＵＥデバイスによるパイロット信号送信用に割り振られた通信リソースの持続時間または周波数のうちの少なくとも１つを変更すること
を行うようにさらに構成された、Ｃ１２に記載の第１の基地局。
［Ｃ１４］
前記少なくとも１つのプロセッサが、前記スモール基地局または前記ＵＥデバイスのいずれがパイロット信号送信用の前記割り振られた通信リソースを使用するべきかを決定するように構成されることの一部として、
前記第１の基地局の前記カバレージエリア内のスモール基地局の前記数を前記第１の基地局の前記カバレージエリア内のＵＥデバイスの前記数と比較することと、
ＵＥデバイスの前記数がスモール基地局の前記数よりも小さいことを前記比較が示すとき、パイロット信号を送信するために前記ＵＥデバイスを選択することと、
ＵＥデバイスの前記数がスモール基地局の前記数よりも小さくないことを前記比較が示すとき、パイロット信号を送信するために前記スモール基地局を選択することとを行うようにさらに構成された、Ｃ１２に記載の第１の基地局。
［Ｃ１５］
スモール基地局が位置するカバレージエリアを有するセルに対応する第１の基地局で使用するためのコンピュータプログラム製品であって、
複数のスモール基地局またはＵＥデバイスのうちのいずれかによるパイロット信号送信用の通信リソースを割り振ることを少なくとも１つのコンピュータに行わせるためのコードと、前記割り振られた通信リソースはパイロット信号送信専用であり、前記スモール基地局は前記複数のスモール基地局のうちの１つである、
前記スモール基地局または前記ＵＥデバイスのいずれがパイロット信号送信用の前記割り振られた通信リソースを使用するべきかを決定することを前記少なくとも１つのコンピュータに行わせるためのコードと、
パイロット信号送信用に割り振られた前記通信リソースを示す情報を、前記スモール基地局または前記ＵＥデバイスのうちの少なくとも１つに通信することを前記少なくとも１つのコンピュータに行わせるためのコードと
を備える、非一時的コンピュータ可読媒体
を備える、コンピュータプログラム製品。
［Ｃ１６］
基地局を動作させる方法であって、前記基地局がフェムトセルまたはピコセルのうちの１つであり、前記方法が、
ＵＥデバイスにパイロット信号を送信する際、またはＵＥデバイスからパイロット信号を受信する際の使用専用の通信リソースを示す情報を受信することと、
基地局が前記専用の通信リソース上でパイロット信号を送信するべきか、前記ＵＥデバイスが前記専用の通信リソースを使用してパイロット信号を送信するべきかを決定することと
を備える、方法。
［Ｃ１７］
前記決定が、前記基地局がパイロット信号を送信するべきことであるとき、パイロット信号を送信する際の使用専用の前記通信リソースに含まれる通信リソース上で、パイロット信号とデバイス識別情報とを送信することと、
前記決定が、前記ＵＥデバイスがパイロット信号を送信するべきことであるとき、前記ＵＥデバイスによって送信されるパイロット信号用の、パイロット信号を送信する際の使用専用の前記通信リソースを監視することと
をさらに備える、Ｃ１６に記載の方法。
［Ｃ１８］
前記決定が、前記基地局がパイロット信号を送信するべきことであるとき、
前記基地局で未使用のリソースを識別するために、パイロット信号の送信専用の前記通信リソースを監視することと、
パイロット信号を送信する際の使用専用の前記通信リソース内の少なくともいくつかの識別された未使用の通信リソースを選択することと
をさらに備え、
通信リソース上でパイロット信号を送信することが、前記選択され識別された未使用の通信リソース上で前記パイロット信号を送信することを含む、
Ｃ１７に記載の方法。
［Ｃ１９］
前記決定が、前記基地局がパイロット信号を送信するべきことであるとき、
前記ＵＥデバイスからの信号を監視することと、
前記監視が所定の時間期間の間にＵＥデバイスからの信号を検出しなかったとき、前記通信リソース上でパイロット信号を送信することをやめることと
をさらに備える、Ｃ１７に記載の方法。
［Ｃ２０］
前記決定が、前記基地局がパイロット信号を送信するべきことであるとき、
ＵＥデバイスからの信号を検出したことに応答して、パイロット信号送信を再開すること
をさらに備える、Ｃ１９に記載の方法。
［Ｃ２１］
前記決定が、前記ＵＥデバイスがパイロット信号を送信するべきことであるとき、
ＵＥデバイスから受信されたパイロット信号の受信パイロット信号強度を測定することと、
そこから前記パイロット信号が受信された前記ＵＥデバイスに対するＳＮＲを推定することと、
そこから前記パイロット信号が受信された前記ＵＥデバイスをサービスする基地局または無線ネットワークコントローラのうちの１つに、ＵＥデバイスの識別情報とともに、前記測定されたパイロット信号強度と前記推定されたＳＮＲとを報告することとをさらに備える、Ｃ１６に記載の方法。
［Ｃ２２］
基地局であって、前記基地局がフェムトセルまたはピコセルのうちの１つであり、
ＵＥデバイスにパイロット信号を送信する際、またはＵＥデバイスからパイロット信号を受信する際の使用専用の通信リソースを示す情報を受信するための手段と、
基地局が前記専用の通信リソース上でパイロット信号を送信するべきか、前記ＵＥデバイスが前記専用の通信リソースを使用してパイロット信号を送信するべきかを決定するための手段と
を備える、基地局。
［Ｃ２３］
決定するための前記手段が、前記基地局がパイロット信号を送信するべきであると決定したとき、パイロット信号を送信する際の使用専用の前記通信リソースに含まれる通信リソース上で、パイロット信号とデバイス識別情報とを送信するための手段と、
決定するための前記手段が、前記ＵＥデバイスがパイロット信号を送信するべきであると決定したとき、前記ＵＥデバイスによって送信されるパイロット信号用の、パイロット信号を送信する際の使用専用の前記通信リソースを監視するための手段と
をさらに備える、Ｃ２２に記載の基地局。
［Ｃ２４］
前記基地局で未使用のリソースを識別するために、パイロット信号の送信専用の前記通信リソースを監視するための手段と、
パイロット信号を送信する際の使用専用の前記通信リソース内の少なくともいくつかの識別された未使用の通信リソースを選択するための手段と
をさらに備え、
通信リソース上でパイロット信号を送信するための前記手段が、前記選択され識別された未使用の通信リソース上で前記パイロット信号を送信するための手段を含む、Ｃ２３に記載の基地局。
［Ｃ２５］
ＵＥデバイスからの信号を監視するための手段と、
前記監視が所定の時間期間の間にＵＥデバイスからの信号を検出しなかったとき、前記通信リソース上でパイロット信号を送信することをやめるように前記基地局を制御するための手段と
をさらに備える、Ｃ２３に記載の基地局。
［Ｃ２６］
ＵＥデバイスから受信されたパイロット信号の受信パイロット信号強度を測定するための手段と、
そこから前記パイロット信号が受信された前記ＵＥデバイスに対するＳＮＲを推定するための手段と、
そこから前記パイロット信号が受信された前記ＵＥデバイスをサービスする基地局または無線ネットワークコントローラのうちの１つに、ＵＥデバイスの識別情報とともに、前記測定されたパイロット信号強度と前記推定されたＳＮＲとを報告するための手段とをさらに備える、Ｃ２５に記載の基地局。
［Ｃ２７］
基地局であって、前記基地局がフェムトセルまたはピコセルのうちの１つであり、
ＵＥデバイスにパイロット信号を送信する際、またはＵＥデバイスからパイロット信号を受信する際の使用専用の通信リソースを示す情報を受信することと、
基地局が前記専用の通信リソース上でパイロット信号を送信するべきか、前記ＵＥデバイスが前記専用の通信リソースを使用してパイロット信号を送信するべきかを決定することと
を行うように構成された、少なくとも１つのプロセッサと、
前記少なくとも１つのプロセッサに結合されたメモリと
を備える、基地局。
［Ｃ２８］
前記少なくとも１つのプロセッサが、
前記基地局がパイロット信号を送信するべきであると決定されたとき、パイロット信号を送信する際の使用専用の前記通信リソースに含まれる通信リソース上で、パイロット信号とデバイス識別情報とを送信することと、
前記ＵＥデバイスがパイロット信号を送信するべきであると決定されたとき、前記ＵＥデバイスによって送信されるパイロット信号用の、パイロット信号を送信する際の使用専用の前記通信リソースを監視することと
を行うようにさらに構成された、Ｃ２７に記載の基地局。
［Ｃ２９］
前記少なくとも１つのプロセッサが、
前記基地局で未使用のリソースを識別するために、パイロット信号の送信専用の前記通信リソースを監視することと、
パイロット信号を送信する際の使用専用の前記通信リソース内の少なくともいくつかの識別された未使用の通信リソースを選択することと
を行うようにさらに構成され、
前記少なくとも１つのプロセッサが、パイロット信号を送信する際の使用専用の前記通信リソースに含まれる通信リソース上でパイロット信号を送信するように構成されることの一部として、前記選択され識別された未使用の通信リソース上で前記パイロット信号を送信するように構成された、
Ｃ２８に記載の基地局。
［Ｃ３０］
基地局で使用するためのコンピュータプログラム製品であって、前記基地局がフェムトセルまたはピコセルのうちの１つであり、前記コンピュータプログラム製品が、
ＵＥデバイスにパイロット信号を送信する際、またはＵＥデバイスからパイロット信号を受信する際の使用専用の通信リソースを示す情報を受信することを少なくとも１つのコンピュータに行わせるためのコードと、
基地局が前記専用の通信リソース上でパイロット信号を送信するべきか、前記ＵＥデバイスが前記専用の通信リソースを使用してパイロット信号を送信するべきかを決定することを前記少なくとも１つのコンピュータに行わせるためのコードと
を備える、非一時的コンピュータ可読媒体
を備える、コンピュータプログラム製品。
［Ｃ３１］
ユーザ機器（ＵＥ）デバイスを動作させる方法であって、
基地局にパイロット信号を送信する際、または基地局からパイロット信号を受信する際の使用専用の通信リソースを示す情報を受信することと、
前記基地局が前記専用の通信リソース上でパイロット信号を送信するべきか、ＵＥデバイスが前記専用の通信リソースを使用してパイロット信号を送信するべきかを決定することと
を備える、方法。
［Ｃ３２］
前記ＵＥデバイスがパイロット信号を送信するべきであると決定されたとき、パイロット信号を送信する際の使用専用の前記通信リソースに含まれる通信リソース上で、パイロット信号を送信することと、
前記基地局がパイロット信号を送信するべきであると決定されたとき、前記基地局によって送信されるパイロット信号用の、パイロット信号を送信する際の使用専用の前記通信リソースを監視することと
をさらに備える、Ｃ３１に記載の方法。
［Ｃ３３］
前記ＵＥデバイスがパイロット信号を送信するべきであると決定されたとき、
未使用のリソースを識別するために、パイロット信号の送信専用の前記通信リソースを監視することと、
パイロット信号を送信する際の使用専用の前記通信リソース内の識別された未使用の通信リソースのうちのいくつかを選択することと
をさらに備え、
通信リソース上でパイロット信号を送信することが、前記選択され識別された未使用の通信リソース上で前記パイロット信号を送信することを含む、
Ｃ３２に記載の方法。
［Ｃ３４］
前記送信されるパイロット信号が、少なくとも１つのパイロットと、前記ＵＥデバイスを識別するＵＥデバイスの識別情報とを含む、Ｃ３１に記載の方法。
［Ｃ３５］
前記ＵＥデバイスがパイロット信号を送信するべきであると決定されたとき、
スモール基地局からの信号を監視することと、
少なくとも１つのスモール基地局からの信号が所定の時間期間の間に受信されなかったとき、時間期間の間にパイロット信号を送信することをやめることと
をさらに備える、Ｃ３２に記載の方法。
［Ｃ３６］
スモール基地局からの信号を検出したことに応答して、パイロット信号送信を再開すること
をさらに備える、Ｃ３５に記載の方法。
［Ｃ３７］
スモール基地局から受信されたパイロット信号の受信パイロット信号強度を測定することと、
そこから前記パイロット信号が受信された前記スモール基地局に対するＳＮＲを推定することと、
前記ＵＥデバイスをサービスする基地局または無線ネットワークコントローラのうちの１つに、スモール基地局のデバイス識別情報とともに、前記測定されたパイロット信号強度と前記推定されたＳＮＲとを報告することと
をさらに備える、Ｃ３２に記載の方法。
［Ｃ３８］
基地局にパイロット信号を送信する際、または基地局からパイロット信号を受信する際の使用専用の通信リソースを示す情報を受信するための手段と、
前記基地局が前記専用の通信リソース上でパイロット信号を送信するべきか、ＵＥデバイスが前記専用の通信リソースを使用してパイロット信号を送信するべきかを決定するための手段と
を備える、ユーザ機器（ＵＥ）デバイス。
［Ｃ３９］
決定するための前記手段が、前記ＵＥデバイスがパイロット信号を送信するべきであると決定したとき、パイロット信号を送信する際の使用専用の前記通信リソースに含まれる通信リソース上で、パイロット信号を送信するための手段と、
決定するための前記手段が、前記基地局がパイロット信号を送信するべきであると決定したとき、前記基地局によって送信されるパイロット信号用の、パイロット信号を送信する際の使用専用の前記通信リソースを監視するための手段と
をさらに備える、Ｃ３８に記載のＵＥデバイス。
［Ｃ４０］
未使用のリソースを識別するために、パイロット信号の送信専用の前記通信リソースを監視するための手段と、
パイロット信号を送信する際の使用専用の前記通信リソース内の識別された未使用の通信リソースのうちのいくつかを選択するための手段と
をさらに備え、
パイロット信号を送信するための前記手段が、前記選択され識別された未使用の通信リソース上で前記パイロット信号を送信するための手段を含む、
Ｃ３９に記載のＵＥデバイス。
［Ｃ４１］
スモール基地局からの信号を監視するための手段と、
少なくとも１つのスモール基地局からの信号が所定の時間期間の間に受信されなかったとき、時間期間の間にパイロット信号を送信することをやめるように前記ＵＥデバイスを制御するための手段と
をさらに備える、Ｃ３９に記載のＵＥデバイス。
［Ｃ４２］
スモール基地局から受信されたパイロット信号の受信パイロット信号強度を測定するための手段と、
そこから前記パイロット信号が受信された前記スモール基地局に対するＳＮＲを推定するための手段と、
前記ＵＥデバイスをサービスする基地局または無線ネットワークコントローラのうちの１つに、スモール基地局のデバイス識別情報とともに、前記測定されたパイロット信号強度と前記推定されたＳＮＲとを報告するための手段と
をさらに備える、Ｃ３９に記載のＵＥデバイス。
［Ｃ４３］
基地局にパイロット信号を送信する際、または基地局からパイロット信号を受信する際の使用専用の通信リソースを示す情報を受信することと、
前記基地局が前記専用の通信リソース上でパイロット信号を送信するべきか、ＵＥデバイスが前記専用の通信リソースを使用してパイロット信号を送信するべきかを決定することと
を行うように構成された、少なくとも１つのプロセッサと、
前記少なくとも１つのプロセッサに結合されたメモリと
を備える、ユーザ機器（ＵＥ）デバイス。
［Ｃ４４］
前記少なくとも１つのプロセッサが、
ＵＥデバイスがパイロット信号を送信するべきであると決定されたとき、パイロット信号を送信する際の使用専用の前記通信リソースに含まれる通信リソース上で、パイロット信号を送信することと、
前記基地局がパイロット信号を送信するべきであると決定されたとき、前記基地局によって送信されるパイロット信号用の、パイロット信号を送信する際の使用専用の前記通信リソースを監視することと
を行うようにさらに構成された、Ｃ４３に記載のＵＥデバイス。
［Ｃ４５］
ユーザ機器（ＵＥ）デバイスで使用するためのコンピュータプログラム製品であって、
基地局にパイロット信号を送信する際、または基地局からパイロット信号を受信する際の使用専用の通信リソースを示す情報を受信することを少なくとも１つのコンピュータに行わせるためのコードと、
前記基地局が前記専用の通信リソース上でパイロット信号を送信するべきか、ＵＥデバイスが前記専用の通信リソースを使用してパイロット信号を送信するべきかを決定することを前記少なくとも１つのコンピュータに行わせるためのコードと
を備える、非一時的コンピュータ可読媒体
を備える、コンピュータプログラム製品。
【図１】
0006012899.tif 000002
【図２】
0006012899.tif 000003
【図３】
0006012899.tif 000004
【図４】
0006012899.tif 000005
【図５】
0006012899.tif 000006
【図５Ａ】
0006012899.tif 000007
【図５Ｂ】
0006012899.tif 000008
【図６】
0006012899.tif 000009
【図７】
0006012899.tif 000010
【図８】
0006012899.tif 000011
【図９】
0006012899.tif 000012
【図９Ａ】
0006012899.tif 000013
【図９Ｂ】
0006012899.tif 000014
【図１０】
0006012899.tif 000015
【図１１】
0006012899.tif 000016
【図１２】
0006012899.tif 000017